(57)【特許請求の範囲】
【請求項１】
情報記録媒体のデータ領域内には、複数のビデオパックとオーディオのパックの集合がビデオオブジェクトユニット（ＶＯＢＵ）として定義され、複数の前記ビデオオブジェクトユニットが集合してビデオオブジェクト（ＶＯＢ）が定義されており、
前記情報記録媒体の管理領域には、前記データ領域内のデータに関する管理情報が含まれ、この管理情報内では、前記ビデオオブジェクト内の再生範囲を指定するセルの再生順を管理するプログラムチェーン情報（ＰＧＣＩ）が定義されており、
前記プログラムチェーン情報（ＰＧＣＩ）には、複数のプログラム情報（ＰＧＩ）が含まれており、各プログラム情報（ＰＧＩ）には、プログラム（ＰＧ）に属するセル数、及びそれぞれプログラムの消去可又は消去禁止を示すプロテクト情報（ＰＧ＿ＴＹ）が含まれており、
前記情報記録媒体に対する情報記録再生装置であって、
前記ビデオオブジェクトの記録容量を表示部にタイムバーで表示する手段と、
前記タイムバー上で消去禁止範囲をカーソルで指定する手段と、
を具備し、
前記タイムバー上で消去禁止範囲をカーソルで指定したとき、
前記消去禁止範囲の先頭が１つのプログラム（ＰＧ１）の途中にありこのプログラムを分割する必要がある場合、消去禁止範囲の先頭のセル番号及び終了位置のセル番号を決定し、分割するプログラムのセル数を決定して、分割されることにより生じたプログラムのための新たなプログラム情報を生成する手段と、
さらに新たなプログラム情報のうち、消去禁止範囲に該当するプログラム情報の中のプロテクト情報を消去禁止に設定する手段と、
を具備したことを特徴とする情報記録再生装置。
【請求項２】
前記１つのプログラムの消去を指定したときに、消去禁止範囲が含まれていることを前記表示部に表示する手段を具備したことを特徴とする請求項２記載の情報記録再生装置。
【請求項３】
情報記録媒体のデータ領域内には、複数のビデオパックとオーディオのパックの集合がビデオオブジェクトユニット（ＶＯＢＵ）として定義され、複数の前記ビデオオブジェクトユニットが集合してビデオオブジェクト（ＶＯＢ）が定義されており、
前記情報記録媒体の管理領域には、前記データ領域内のデータに関する管理情報が含まれ、この管理情報内では、前記ビデオオブジェクト内の再生範囲を指定するセルの再生順を管理するプログラムチェーン情報（ＰＧＣＩ）が定義されており、
前記プログラムチェーン情報（ＰＧＣＩ）には、複数のプログラム情報（ＰＧＩ）が含まれており、各プログラム情報（ＰＧＩ）には、プログラム（ＰＧ）に属するセル数、及びそれぞれプログラムの消去可又は消去禁止を示すプロテクト情報（ＰＧ＿ＴＹ）が含まれており、
前記情報記録媒体に対する情報記録再生方法であって、
前記ビデオオブジェクトの記録容量を表示部にタイムバーで表示し、
前記タイムバー上で消去禁止範囲をカーソルで指定し、
前記タイムバー上で消去禁止範囲をカーソルで指定したとき、
前記消去禁止範囲の先頭が１つのプログラム（ＰＧ１）の途中にありこのプログラムを分割する必要がある場合、消去禁止範囲の先頭のセル番号及び終了位置のセル番号を決定し、分割するプログラムのセル数を決定して、分割されることにより生じたプログラムのための新たなプログラム情報を生成し、
さらに新たなプログラム情報のうち、消去禁止範囲に該当するプログラム情報の中のプロテクト情報を消去禁止に設定する、
ことを特徴とする情報記録再生方法。
【請求項４】
前記１つのプログラムの消去を指定したときに、消去禁止範囲が含まれていることを前記表示部に表示することを特徴とする請求項３記載の情報記録再生方法。
【発明の詳細な説明】
【０００１】
【発明の属する技術分野】
本発明は、例えばＤＶＤ（デジタルビデオディスク）記録再生装置に用いて有効な情報記録方法及び記録媒体及び再生装置に関する。
【０００２】
【従来の技術】
近年、映像や音声等のデータを記録した光ディスクを再生する動画対応の光ディスク再生装置が開発され、例えばＬＤや、ビデオＣＤなどの様に、映画ソフトやカラオケ等の目的で一般に普及されている。
【０００３】
その中で、現在、国際規格化したＭＰＥＧ２（Moving Image Coding Expert Group）方式を使用し、ＡＣ３オーディオ圧縮方式を採用したＤＶＤ規格が提案された。
【０００４】
この規格は、ＭＰＥＧ２システムレイヤに従って、動画圧縮方式にＭＰＥＧ２、音声にＡＣ３オーディオ、ＭＰＥＧオーディオをサポートし、さらに、字幕用としてビットマップデータをランレングス圧縮した副映像データ、早送り巻き戻しなどの特殊再生用コントロールデータ（ナビパック）を追加して構成されている。また、この規格では、コンピュータでデータを読むことが出来るように、ＩＳＯ９６６０とマイクロＵＤＦをサポートしている。
【０００５】
【発明が解決しようとする課題】
また現在では、ＤＶＤ−ＲＡＭ等のように、データの書き込みや書き換えが可能な光ディスクも開発されている。このようなＤＶＤ−ＲＡＭにおいては、ユーザが容易に編集を行えるような機能が要望される。しかしながら、現在では一般家庭用でユーザが編集などのために容易に取り扱うことができような記録再生装置がない。
【０００６】
そこでこの発明は、ユーザの編集作業が容易であり、きめ細かな編集作業が可能な記録方法及び記録媒体を提供することを目的とする。
【０００７】
またこの発明は、データの効率の良い管理が可能であり、結果的には、保存の単位を細かく管理することが可能な記録方法及び記録媒体を提供することを目的とする。
【０００８】
またこの発明では消去禁止フラグを、プログラム毎に、或いはセル（ＣＥＬＬ）毎に割り付けることにより、大胆かつ効率の良い管理、或いは極め細かな管理を行うことができる記録方式及び記録媒体を提供することを目的とする。
【０００９】
【課題を解決するための手段】
この発明に係る装置は、情報記録媒体のデータ領域内には、複数のビデオパックとオーディオのパックの集合がビデオオブジェクトユニット（ＶＯＢＵ）として定義され、複数の前記ビデオオブジェクトユニットが集合してビデオオブジェクト（ＶＯＢ）が定義されており、前記情報記録媒体の管理領域には、前記データ領域内のデータに関する管理情報が含まれ、この管理情報内では、前記ビデオオブジェクト内の再生範囲を指定するセルの再生順を管理するプログラムチェーン情報（ＰＧＣＩ）が定義されており、前記プログラムチェーン情報（ＰＧＣＩ）には、複数のプログラム情報（ＰＧＩ）が含まれており、各プログラム情報（ＰＧＩ）には、プログラム（ＰＧ）に属するセル数、及びそれぞれプログラムの消去可又は消去禁止を示すプロテクト情報（ＰＧ＿ＴＹ）が含まれており、前記情報記録媒体に対する情報記録再生装置であって、前記ビデオオブジェクトの記録容量を表示部にタイムバーで表示する手段と、前記タイムバー上で消去禁止範囲をカーソルで指定する手段と、を具備し、前記タイムバー上で消去禁止範囲をカーソルで指定したとき、前記消去禁止範囲の先頭が１つのプログラム（ＰＧ１）の途中にありこのプログラムを分割する必要がある場合、消去禁止範囲の先頭のセル番号及び終了位置のセル番号を決定し、分割するプログラムのセル数を決定して、分割されることにより生じたプログラムのための新たなプログラム情報を生成する手段と、さらに新たなプログラム情報のうち、消去禁止範囲に該当するプログラム情報の中のプロテクト情報を消去禁止に設定する手段とを有する。
【００１１】
上記手段により、再生情報の大胆な再生シーケンス管理やきめ細かな再生シーケンス管理が可能となり、ユーザの操作も容易となる。
【００１２】
【発明の実施の形態】
以下、この発明の実施の形態を図面を参照して説明する。
【００１３】
図１はこの発明の一実施の形態に係るディスク記録再生装置の全体的な構成図である。図２には、図１の光ディスク（ＤＶＤ−ＲＡＭ）のデータ記録領域とそこに記録されるデータの記録トラックとの対応関係を示し、図３には図２の光ディスクに記録されている情報（データ記録エリア又はＤＶＤビデオのボリウム空間の内容）の階層構造の一例を示している。
【００１４】
まず、光ディスクについて説明する。図２において、光ディスク１０は、記録層１７が設けられた一対の透明基板１４を接着層２０で貼り合わせた構造である。各基板１４は０．６ｍｍ厚のポリカーボネイトで成形されており、接着層２０は例えば４０μｍ厚の紫外線硬化性樹脂で構成されている。これら一対の基板１４を、記録層１７が接着層２０の面上で接触するように貼り合わせ、１．２ｍｍ厚の大容量光ディスク１０が構成されている。２２は中心穴であり、２４はクランプエリアである。２５は情報エリアであり、２６はリードアウトエリア、２７はリードインエリア、２８はデータ記録エリアである。情報エリア２５の記録層には記録トラックが例えばスパイラル状に連続して形成されている。連続トラックは物理セクタに分割され、このセクタには連続番号が付されている。このセクタを記録単位としている。
【００１５】
図３において、ディスク１０がＤＶＤ−ＲＡＭ（またはＤＶＤ−Ｒ）の場合は、ディスク１０はカートリッジに収納される。ＤＶＤ−ＲＡＭディスク１０がカートリッジ１１に収納された状態でディスク記録再生装置に装填され、カートリッジ１１が引き出されると、ディスク１０のみが記録再生装置内に残るようになっている。記録層１７のデータ記録トラックは、一定記憶容量の複数論理セクタ（最小記録単位）に分割され、この論理セクタを基準に出たが記録されている。１つの論理セクタの記録容量は、１パックデータ長と同じ２０４８バイトに決められている。
【００１６】
図４は情報エリア２５の構造を有している。この構造の論理フォーマットは、たとえば標準規格の１つであるＩＳＯ９６６０およびユニバーサルディスクフォーマット（ＵＤＦ）ブリッジに準拠して定められている。
【００１７】
データ記録エリア２８は、ボリュームスペースとして割り当てられ、ボリュームスペース２８は、ボリュームおよびファイル構造の情報のための空間（ボリューム／ファイル構造）と、ＤＶＤ規格のアプリケーションのための空間（ＤＶＤビデオ領域）と、この規格のアプリケーション以外のための空間（他記録エリア）を含む。ボリュームスペース２８は、多数のセクタに物理的に分割され、物理的セクタには連続番号が付される。このボリュームスペース２８に記録されるデータの論理アドレスは、ＩＳＯ９６６０およびＵＤＦブリッジで定められるように、論理セクタ番号を意味している。ここでの論理セクタサイズは、物理セクタの有効データサイズと同様に、２０４８バイトである。論理セクタ番号は、物理セクタ番号の昇順に対応して連続番号が付加され。なお、論理セクタと異なり、物理セクタにはエラー訂正情報等の冗長な情報が付加されている。
【００１８】
ボリュームスペース２８は階層構造を有しており、ボリューム／ファイル構造領域、１以上のビデオタイトルセットＶＴＳ＃ｎからなるＤＶＤビデオ領域、および他の記録領域を含む。これら領域は、論理セクタの境界上で区分されている。１論理セクタは２０４８バイトと定義され、１論理ブロックも２０４８バイトと定義される。したがって、１論理セクタは１論理ブロックと対等に定義される。
【００１９】
ボリューム／ファイル構造領域は、ＩＳＯ９６６０およびＵＤＦブリッジに定められる管理領域に相当する。この領域の記述に基づいて、ビデオマネージャーＶＭＧの内容が、ＤＶＤビデオレコーダ内部のシステムメモリ（図示せず）に格納される。
【００２０】
ビデオマネージャーＶＭＧは複数のファイルで構成される。ファイルには、ビデオタイトルセット（ＶＴＳ＃１〜＃ｎ）を管理する情報（ビデオマネージャ情報ＶＭＧＩ、ビデオマネージャメニュー用ビデオオブジェクトセットＶＭＧＭ＿ＶＯＢＳ、ビデオマネージャ情報バックアップファイルＶＭＧＩ＿ＢＵＰ）が記述されている。
【００２１】
各ビデオタイトルセットＶＴＳには、ＭＰＥＧ規格により圧縮されたビデオデータ（後述するビデオパック）、所定規格により圧縮されあるいは非圧縮のオーディオデータ（後述するオーディオパック）、およびランレングス圧縮された副映像データ（後述する副映像パック；１画素が複数ビットで定義されたビットマップデータを含む）とともに、これらのデータを再生するための情報（後述するナビゲーションパック；プレゼンテーション制御情報ＰＣＩおよびデータサーチ情報ＤＳＩを含む）が格納されている。
【００２２】
ビデオタイトルセットＶＴＳも、ビデオマネージャーＶＭＧと同様に、複数のファイルで構成される。各ファイルは、ビデオタイトルセット情報ＶＴＳＩ、ビデオタイトルセットメニュー用オブジェクトセットＶＴＳＭ＿ＶＯＢＳ、ビデオタイトルセットタイトル用ビデオオブジェクトセットＶＴＳＴＴ＿ＶＯＢＳ、ビデオタイトルセット情報のバックアップＶＴＳＩ＿ＢＵＰを含んでいる。
【００２３】
他の記録エリアには、上述したビデオタイトルセットＶＴＳで利用可能な情報、あるいはビデオタイトルセットとは関係ない他の情報を記録することができる。このエリアは必須ではない。
【００２４】
ビデオタイトルセットタイトル用ビデオオブジェクトセットＶＴＳＴＴ＿ＶＯＢＳは、１以上のビデオオブジェクトＶＯＢの集まりを定義している。各ＶＯＢは１以上のセルの集まりを定義している。そして、１以上のセルの集まりによって、プログラムチェーンＰＧＣが構成される。
【００２５】
１つのＰＧＣを１本のドラマに例えれば、このＰＧＣを構成する複数のセルはドラマ中の種々なシーンに対応すると解釈可能である。このＰＧＣの中身（あるいはセルの中身）は、たとえばディスク１０に記録される内容を制作するソフトウエアプロバイダにより決定される。
【００２６】
図５は、光ディスク１０に記録される情報（データファイル）のディレクトリ構造を例示している。ルートディレクトリの下にビデオタイトルセットＶＴＳのサブディレクトリとオーディオタイトルセットＡＴＳのサブディレクトリが繋がっている。そして、ビデオタイトルセットＶＴＳのサブディレクトリ中に、種々なビデオファイル（ＶＭＧＩ、ＶＭＧＭ、ＶＴＳＩ、ＶＴＳＭ、ＶＴＳ等のファイル）が配置されて、各ファイルが整然と管理されるようになっている。特定のファイル（たとえば特定のＶＴＳ）は、ルートディレクトリからそのファイルまでのパスを指定することで、アクセスできる。
【００２７】
ＤＶＤーＲＡＭ（ＤＶＤーＲＷ）ディスク１０またはＤＶＤーＲディスク１０は、上記のディレクトリ構造を持つようにプリフォーマットしておき、このプリフォーマット済みディスク１０をＤＶＤビデオ録画用の未使用ディスク（生ディスク）として市販することができる。
【００２８】
すなわち、プリフォーマットされた生ディスク１０のルートディレクトリは、ビデオタイトルセット（ＶＴＳ）というサブディレクトリを含む。このサブディレクトリは、種々な管理データファイル（ＶＩＤＥＯ＿ＴＳ．ＩＦＯ、ＶＴＳ＿０１＿０．ＩＦＯ）と、これらの管理データファイルの情報をバックアップするバックアップファイル（ＶＩＤＥＯ＿ＴＳ．ＢＵＰ、ＶＴＳ＿０１＿０．ＢＵＰ）と、前記管理データファイルの記載内容に基づき管理されるものであって、デジタル動画情報を格納するためのビデオデータファイル（ＶＴＳ＿０１＿１．ＶＯＢ）とを含む。
【００２９】
上記サブディレクトリは、所定のメニュー情報を格納するためのメニューデータファイル（ＶＭＧＭ、ＶＴＳＭ）をさらに含むことができる。
【００３０】
さらに、タイトルは、たとえば、映画の一本分に相当し、一枚のディスクに、このタイトルが複数入っている。このタイトルが集まったものをタイトルセットと言い、このタイトルセットは、複数のファイルで構成されている。
【００３１】
また、１枚のディスクには、このディスクを管理するための情報としてビデオマネージャー（以降ＶＭＧと称する。）と称するファイルが存在する。さらに、タイトルセット（以後ＶＴＳと称する）には、このタイトルセットを管理するための情報がビデオタイトルセット情報（以降ＶＴＳＩと称する。）の管理情報ファイルとビデオデータで構成されているビデオファイルとＶＴＳＩのバックアップファイルから構成されている。
【００３２】
図６は、ビデオオブジェクトセットＶＴＳＴＴ＿ＶＯＢＳに含まれる情報の階層構造を示す。
【００３３】
各セル８４は１以上のビデオオブジェクトユニット（ＶＯＢＵ）により構成される。そして、各ＶＯＢＵは、ナビゲーションパック（ＮＶパック）を先頭としビデオパック（Ｖパック）、副映像パック（ＳＰパック）およびオーディオパック（Ａパック）の集合体（パック列）として構成されている。すなわち、ＶＯＢＵは、あるＮＶパックから次のＮＶパックの直前まで記録される全パックの集まりとして定義される。
【００３４】
これらのパックは、データ転送処理を行う際の最小単位となる。また、論理上の処理を行う最小単位はセル単位であり、論理上の処理はこのセル単位で行わる。
【００３５】
上記ＮＶパックは、いずれのアングル変更（ノンシームレス再生およびシームレス再生）も実現できるように、ＶＯＢＵ中に組み込まれている。
【００３６】
上記ＶＯＢＵの再生時間は、ＶＯＢＵ中に含まれる１以上の映像グループ（グループオブピクチャーＧＯＰ）で構成されるビデオデータの再生時間に相当し、その再生時間は０．４秒〜１．２秒の範囲内に定められる。１ＧＯＰは、ＭＰＥＧ規格では通常約０．５秒であって、その間に１５枚程度の画像を再生するように圧縮された画面データである。
【００３７】
なお、オーディオおよび／または副映像データのみの再生データにあってもＶＯＢＵを１単位として再生データが構成される。
【００３８】
ところで、この構造のＶＯＢＳを含むビデオタイトルセットＶＴＳを光ディスク１０に記録できるＤＶＤビデオレコーダでは、このＶＴＳの記録後に記録内容を編集したい場合が生じる。この要求に答えるため、各ＶＯＢＵ内に、ダミーパックを適宜挿入できるようになっている。このダミーパックは、後に編集用データを記録する場合などに利用できる。
【００３９】
メニュー用のＶＯＢＳは、通常、１つのＶＯＢで構成され、そこには複数のメニュー画面表示用データが格納される。これに対して、タイトルセット用のＶＯＢＳは、通常、複数のＶＯＢで構成される。
【００４０】
ＶＯＢには、識別番号（ＩＤＮ＃ｉ；ｉ＝０〜ｉ）が付され、この識別番号によってそのＶＯＢを特定することができる。通常のビデオストリームは複数のセルで構成されるが、メニュー用のビデオストリームは１つのセルで構成される場合もある。各セルには、ＶＯＢの場合と同様に識別番号（Ｃ＿ＩＤＮ＃ｊ）が付されている。
【００４１】
上記のようにビデオファイルは、階層構造となっており、１つのファイルは複数のプログラムチェーンで構成され、１つのプログラムチェーンは、複数のプログラムで構成されており、１つのプログラムは、複数のセルで構成され、１つのセルは、複数のビデオオブジェクトユニットで構成されている。また、ＶＯＢＵは、複数の様々な種類のデータからなっているパックによって構成されている。パックは１つ以上のパケットとパックヘッダで構成されている。
【００４２】
また、このビデオオブジェクト（ＶＯＢ）は、ＰＧＣ単位で管理データＰＧＣＩに対応している。このＰＧＣＩ内には、セルを管理するセル再生情報テーブル（Ｃ＿ＰＢＩＴ）をもち、このセル再生順番は、Ｃ＿ＰＢＩＴ内に記述されている順番で再生され、実際のセルの再生アドレスは、Ｃ＿ＰＢＩＴ内のセル再生情報（Ｃ＿ＰＢＩ）として記録されている。
【００４３】
ここで、ＤＶＤビデオでは、上記方式で管理されているが、ＰＧＣの管理情報とセルの管理情報が独立していることも考えられる。
【００４４】
また、パックは、データ転送処理を行う最小単位である。さらに、論理上の処理を行う最小単位はセル単位で、論理上の処理はこの単位で行わる。
【００４５】
図７は、パック列を例示している。このパック列は、ナビゲーションパック（制御パック）、ビデオパック、ダミーパック、副映像パックおよびオーディオパックで構成されている。
【００４６】
ナビゲーションパックは、パックヘッダ１１０、再生制御情報／プレゼンテーション制御情報（ＰＣＩ）パケット１１６およびデータ検索情報（ＤＳＩ）パケット１１７を含んでいる。ＰＣＩパケット１１６はパケットヘッダ１１２およびＰＣＩデータ１１３で構成され、ＤＳＩパケット１１７はパケットヘッダ１１４およびＤＳＩデータ１１５で構成されている。ＰＣＩパケット１１６はノンシームレスアングル切替時に使用する制御データを含み、ＤＳＩパケット１１７はシームレスアングル切替時に使用する制御データを含んでいる。ここで、上記アングル切替とは、被写体映像を見る角度（カメラアングル）を変えることを意味する。
【００４７】
ビデオパックは、パックヘッダ８８１およびビデオパケット８８２で構成されている。ダミーパックは、パックヘッダ８９１とパティングパケット８９０とで構成され、パティングパケット８９０はパケットヘッダ８９２とパディングデータ８９３とで構成されている。ただし、パディングデータ８９３には無効データが入れられている。
【００４８】
副映像パックは、パックヘッダ９０１および副映像パケット９０２で構成されている。オーディオパックは、パックヘッダ９１１およびオーディオパケット９１２で構成されている。
【００４９】
なお、ビデオパケット８８２は図示しないパケットヘッダを含み、このパケットヘッダにはデコードタイムスタンプ（ＤＳＴ）およびプレゼンテーションタイムスタンプ（ＰＴＳ）が記録されている。また、副映像パケット９０２およびオーディオパケット９１２は、それぞれ、図示しないパケットヘッダを含み、それらのパケットヘッダには、プレゼンテーションタイムスタンプ（ＰＴＳ）が記録されている。
【００５０】
図８は、ナビゲーションパック１パック分の構造を示す。
【００５１】
ナビゲーションパックは、パックヘッダ１１０、システムヘッダ１１１および２つのパケット（１１６、１１７）を含む２０１０バイトのナビゲーションデータで構成される。
【００５２】
ＰＣＩパケット１１６は、パケットヘッダ１１２Ａ、サブストリームＩＤ１１２Ｂ、およびＰＣＩデータ１１３で構成される。サブストリームＩＤ１１２Ｂの８ビットコードによりＰＣＩデータ１１３のデータストリームが指定される。
【００５３】
また、ＤＳＩパケット１１７は、パケットヘッダ１１４Ａ、サブストリームＩＤ１１４Ｂ、およびＤＳＩデータ１１５で構成される。サブストリームＩＤ１１４Ｂの８ビットコードによりＤＳＩデータ１１５のデータストリームが指定される。
【００５４】
図のパックヘッダ１１０およびシステムヘッダ１１１は、ＭＰＥＧ２のシステムレーヤで定義される。同様に、ＰＣＩパケット１１６のパケットヘッダ１１２ＡおよびＤＳＩパケット１１７のパケットヘッダ１１４Ａには、ＭＰＥＧ２のシステムレーヤに定められているように、パケット開始コード、パケット長およびストリームＩＤが格納されている。
【００５５】
図９は、各ＶＯＢＵの先頭に配置されるナビゲーションパックに含まれるＰＣＩパケット１１６を示す。ＰＣＩパケット１１６は、ＶＯＢＵ内のビデオデータの再生状態に同期して表示内容あるいは再生内容（プレゼンテーション内容）を変更するためのナビゲーションデータであるＰＣＩデータ１１３を含む。
【００５６】
図１０は、ＰＣＩデータの内容を示す。ＰＣＩデータは、ＰＣＩ一般情報（ＰＣＩ＿ＧＩ）と、ノンシームレス再生用アングル情報（ＮＳＭＬ＿ＡＧＬＩ）と、ハイライト情報（ＨＬＩ）と、記録情報（ＲＥＣＩ）を含んでいる。この記録情報（ＲＥＣＩ）は、国際標準の著作権管理コード（ＩＳＲＣ）を含むことができる。
【００５７】
図１１は、再生制御情報一般情報ＰＣＩ＿ＧＩの内容を示す。
【００５８】
この再生制御情報一般情報ＰＣＩ＿ＧＩには、ナビゲーションパックの論理ブロック番号（ＮＶ＿ＰＣＫ＿ＬＢＮ）と、ＶＯＢＵのカテゴリー（ＶＯＢＵ＿ＣＡＴ）と、ＶＯＢＵのユーザ操作制御（ＶＯＢＵ＿ＵＯＰ＿ＣＴＬ）と、ＶＯＢＵの表示開始時間（ＶＯＢＵ＿Ｓ＿ＰＴＭ）と、ＶＯＢＵの表示終了時間（ＶＯＢＵ＿Ｅ＿ＰＴＭ）と、ＶＯＢＵ内のシーケンス末尾の表示終了時間（ＶＯＢＵ＿ＳＥ＿ＰＴＭ）と、セル経過時間（Ｃ＿ＥＬＴＭ）とが記載される。
【００５９】
ここで、上記論理ブロック番号（ＮＶ＿ＰＣＫ＿ＬＢＮ）は、再生制御情報（ＰＣＩ）が含まれるナビゲーションパックのアドレス（記録位置）を、そのＰＣＩが含まれたビデオオブジェクトセット（ＶＯＢＳ）の最初の論理ブロックからの相対ブロック数で示したものである。
【００６０】
ＶＯＢＵ＿ＣＡＴは、再生制御情報（ＰＣＩ）が含まれるＶＯＢＵ内のビデオおよび副映像に対応するアナログ信号のコピープロテクトの内容を記載したものである。ＶＯＢＵ＿ＵＯＰ＿ＣＴＬは、再生制御情報（ＰＣＩ）が含まれるＶＯＢＵの表示（プレゼンテーション）期間中に禁止されるユーザ操作を記載したものである。ＶＯＢＵ＿Ｓ＿ＰＴＭは、再生制御情報（ＰＣＩ）が含まれるＶＯＢＵの表示（プレゼンテーション）開始時間を記載したものである。より具体的にいうと、このＶＯＢＵ＿Ｓ＿ＰＴＭは、ＶＯＢＵ内の最初のＧＯＰの表示順序における最初の映像（最初のピクチャー）の表示開始時間を指す。
【００６１】
ＶＯＢＵ＿Ｅ＿ＰＴＭは、再生制御情報（ＰＣＩ）が含まれるＶＯＢＵの表示（プレゼンテーション）終了時間を記載したものである。より具体的にいうと、ＶＯＢＵ内のビデオデータが連続しているときは、このＶＯＢＵ＿Ｅ＿ＰＴＭは、ＶＯＢＵ内の最後のＧＯＰの表示順序における最後の映像（最後のピクチャー）の表示終了時間を指す。
【００６２】
一方、ＶＯＢＵ内にビデオデータが存在しないとき、あるいはそのＶＯＢＵの再生が停止されたときは、このＶＯＢＵ＿Ｅ＿ＰＴＭは、フィールド間隔（ＮＴＳＣビデオでは１／６０秒）の時間グリッドにアラインされた仮想的なビデオデータの終了時間を指すようになる。
【００６３】
ＶＯＢＵ＿ＳＥ＿ＰＴＭは、再生制御情報（ＰＣＩ）が含まれるＶＯＢＵ内のビデオデータのシーケンスエンドコードによる、表示（プレゼンテーション）終了時間を記載したものである。より具体的にいうと、ＶＯＢＵ内のシーケンスエンドコードが含まれるところの、表示順序の最後の映像（最後のピクチャー）の表示終了時間を指す。ＶＯＢＵ内にシーケンスエンドコード付の映像（ピクチャー）が存在しないときは、ＶＯＢＵ＿ＳＥ＿ＰＴＭに００００００００ｈ（ｈはヘキサデシマルの意）がエンターされる。
【００６４】
上記Ｃ＿ＥＬＴＭは、再生制御情報（ＰＣＩ）が含まれるセルの表示順序における最初のビデオフレームから、このＰＣＩが含まれるＶＯＢＵの表示順序における最後のビデオフレームまでの相対的な表示（プレゼンテーション）時間を、ＢＣＤ形式の時間、分、秒およびフレームで記述したものである。ＶＯＢＵ内にビデオデータがないときは、前記仮想的なビデオデータの最初のビデオフレームが、上記ビデオフレームとして使用される。
【００６５】
図１２は、ビデオタイトルセットＶＴＳの内容を示す。このビデオタイトルセットＶＴＳは、複数のファイルで構成されている。各ファイルは、ビデオタイトルセット情報（ＶＴＳＩ）、ビデオタイトルセットメニュー用オブジェクトセット（ＶＴＳＭ＿ＶＯＢＳ）、ビデオタイトルセットタイトル用ビデオオブジェクトセット（ＶＴＳＴＴ＿ＶＯＢＳ；最大９ファイル）、ビデオタイトルセット情報のバックアップ（ＶＴＳＩ＿ＢＵＰ）を含んでいる。
【００６６】
ＶＴＳの先頭に配置されたビデオタイトルセット情報ＶＴＳＩには、ビデオタイトルセット情報管理テーブル（ＶＴＳＩ＿ＭＡＴ；必須）と、ビデオタイトルセットのパートオブタイトル（たとえばプログラムのチャプター）用のタイトルサーチポインタテーブル（ＶＴＳ＿ＰＴＴ＿ＳＲＰＴ；必須）と、ビデオタイトルセットのプログラムチェーン情報テーブル（ＶＴＳ＿ＰＧＣＩＴ；必須）と、ビデオタイトルセットメニュー用のプログラムチェーン情報ユニットテーブル（ＶＴＳＭ＿ＰＧＣＩ＿ＵＴ；ＶＴＳＭ＿ＶＯＢＳが存在するときは必須）と、ビデオタイトルセットタイムマップテーブル（ＶＴＳ＿ＴＭＡＰＴ；オプション）と、ビデオタイトルセットメニュー用のセルアドレステーブル（ＶＴＳＭ＿Ｃ＿ＡＤＴ；ＶＴＳＭ＿ＶＯＢＳが存在するときは必須）と、ビデオタイトルセットメニュー用のビデオオブジェクトユニットアドレスマップ（ＶＴＳＭ＿ＶＯＢＵ＿ＡＤＭＡＰ；ＶＴＳＭ＿ＶＯＢＳが存在するときは必須）と、ビデオタイトルセットセルアドレステーブル（ＶＴＳ＿Ｃ＿ＡＤＴ；必須）と、ビデオタイトルセット用のビデオオブジェクトユニットアドレスマップ（ＶＴＳ＿ＶＯＢＵ＿ＡＤＭＡＰ；必須）とが、この順番で記述されている。
【００６７】
先のビデオタイトルセット情報管理テーブルＶＴＳＩ＿ＭＡＴの内容は以下のようになっている。
【００６８】
このビデオタイトルセット情報管理テーブルＶＴＳＩ＿ＭＡＴには、ビデオタイトルセット識別子と、ビデオタイトルセットのエンドアドレスと、光ディスク１０に記録されたプログラムが１度でも完全再生されたことがあるかどうかを示す再生済フラグと、光ディスク１０に記録されたプログラムを消さずに残しておきたい場合に誤消去を防止する機能を果たすアーカイブフラグ（ＡＲＣＨＩＶＥ＿ＦＬＡＧ；このフラッグは省略し、後述するセル単位でのフラッグに置き換えてもよい）と、ビデオタイトルセット情報のエンドアドレスと、該当光ディスク１０が採用する規格のバージョン番号と、ビデオタイトルセットのカテゴリーと、ビデオタイトルセット情報管理テーブルのエンドアドレスと、ビデオタイトルセットメニューのビデオオブジェクトセットのスタートアドレスと、ビデオタイトルセットタイトルのビデオオブジェクトセットのスタートアドレスが記述されている。
【００６９】
更に、ビデオタイトルセットの部分部分をサーチできるようにパートオブタイトルサーチポインタテーブルのスタートアドレス（ＶＴＳ＿ＰＴＴ＿ＳＲＰＴ＿ＳＡ）と、ビデオタイトルセットの再生順序を設定するプログラムチェーン情報テーブルのスタートアドレス（ＶＴＳ＿ＰＧＣＩＴ＿ＳＡ）と、ビデオタイトルセットのメニューの表示制御用のプログラムチェーン情報のユニットテーブルのスタートアドレス（ＶＴＳＭ＿ＰＧＣＩ＿ＵＴ＿ＳＡ）と、ビデオタイトルセットの経過時間を示すタイムマップテーブルのスタートアドレス（ＶＴＳ＿ＴＭＡＰＴ＿ＳＡ）と、ビデオタイトルセットのメニューの表示用のセルのセルアドレステーブルのスタートアドレス（ＶＴＳＭ＿Ｃ＿ＡＤＴ＿ＳＡ）と、ビデオタイトルセットのメニュー表示用のＶＯＢＵのアドレスマップのスタートアドレス（ＶＴＳＭ＿ＶＯＢＵ＿ＡＤＭＡＰ＿ＳＡ）と、ビデオタイトルセットのセルアドレステーブルのスタートアドレス（ＶＴＳ＿Ｃ＿ＡＤＴ＿ＳＡ）と、ビデオタイトルセットのＶＯＢＵのアドレスマップのスタートアドレス（ＶＴＳ＿ＶＯＢＵ＿ＡＤＭＡＰ＿ＳＡ）と、ビデオ、オーディオ、副映像の属性などの情報と、ビデオタイトルセットの副映像ストリーム数と、ビデオタイトルセットの副映像ストリーム属性テーブルと、およびビデオタイトルセットのマルチチャネルオーディオストリーム属性テーブルが記載されている。
【００７０】
図１３は、ビデオタイトルセットプログラムチェーン情報テーブルＶＴＳＩ＿ＰＧＣＩＴの内容を示す。
【００７１】
このビデオタイトルセットのプログラムチェーン情報テーブルＶＴＳ＿ＰＧＣＩＴには、ビデオタイトルセットプログラムチェーン情報テーブル情報（ＶＴＳ＿ＰＧＣＩＴＩ）と、ビデオタイトルセットプログラムチェーン情報サーチポインタ（ＶＴＳ＿ＰＧＣＩ＿ＳＲＰ＃１〜ＶＴＳ＿ＰＧＣＩ＿ＳＲＰ＃ｎ）と、ビデオタイトルセットプログラムチェーン情報（ＶＴＳ＿ＰＧＣＩ）とが含まれている。
【００７２】
なお、複数設けられたビデオタイトルセットプログラムチェーン情報ＶＴＳ＿ＰＧＣＩの順序は、複数のビデオタイトルセットプログラムチェーン情報サーチポインタＶＴＳ＿ＰＧＣＩ＿ＳＲＰ＃１〜ＶＴＳ＿ＰＧＣＩ＿ＳＲＰ＃ｎの順序と無関係に設定されている。したがって、たとえば同一のプログラムチェーン情報ＶＴＳ＿ＰＧＣＩを１以上のプログラムチェーン情報サーチポインタＶＴＳ＿ＰＧＣＩ＿ＳＲＰで指し示すことが可能となっている。
【００７３】
図１４は、ビデオタイトルセットプログラムチェーン情報ＶＴＳ＿ＰＧＣＩの内容を示す。プログラムチェーン情報（ＰＧＣＩ）は、プログラムチェーン一般情報（ＰＧＣ＿ＧＩ；必須）、プログラムチェーンコマンドテーブル（ＰＧＣ＿ＣＭＤＴ；オプション）、プログラムチェーンプログラムマップ（ＰＧＣ＿ＰＧＭＡＰ；次のＣ＿ＰＢＩＴが存在するときは必須）、セル再生情報テーブル（Ｃ＿ＰＢＩＴ；オプション）、およびセル位置情報テーブル（Ｃ＿ＰＯＳＩＴ；前記Ｃ＿ＰＢＩＴが存在するときは必須）によって構成されている。
【００７４】
図１５は、セル再生情報テーブルＣ＿ＰＢＩＴの内容を示す。このセル再生情報テーブルＣ＿ＰＢＩＴは、最大２５５個のセル再生情報（Ｃ＿ＰＢＩｎ；＃ｎ＝＃１〜＃２５５）を含んでいる。
【００７５】
図１６は、セル再生情報Ｃ＿ＰＢＩ（Ｃ＿ＰＢＩ＃１〜＃ｎ）の内容を示す。すなわち、各Ｃ＿ＰＢＩは、セルカテゴリー（Ｃ＿ＣＡＴ；４バイト）、セル再生時間（Ｃ＿ＰＢＴＭ；４バイト）、セル内の最初のビデオオブジェクトユニット（ＶＯＢＵ）のスタートアドレス（Ｃ＿ＦＶＯＢＵ＿ＳＡ；４バイト）、セル内の最初のインターリーブドユニット（ＩＬＶＵ）のエンドアドレス（Ｃ＿ＦＩＬＶＵ＿ＥＡ；４バイト）、セル内の最終ビデオオブジェクトユニット（ＶＯＢＵ）のスタートアドレス（Ｃ＿ＬＶＯＢＵ＿ＳＡ；４バイト）、およびセル内の最終ビデオオブジェクトユニット（ＶＯＢＵ）のエンドアドレス（Ｃ＿ＬＶＯＢＵ＿ＥＡ；４バイト）を含んでいる。
【００７６】
特にこのＣ＿ＰＢＩには、消去禁止フラッグを設ける領域が、相対バイト位置（ＲＢＰ）に１バイト確保されている。この消去禁止フラッグを設ける領域に０が記述されているときは、自由に消去できるが、１が記述されているときは永久保存という意味である。この記述は、ユーザが自由に行うことができる。
【００７７】
図１７は、セルカテゴリーＣ＿ＣＡＴの内容を示す。このＣ＿ＣＡＴは、下位８ビット（ｂ０〜ｂ７）でセルコマンド数を示し、次の８ビット（ｂ８〜ｂ１５）でセルスチル時間を示し、次の５ビット（ｂ１６〜ｂ２０）でセルタイプ（たとえばカラオケかその他か）を示し、次の１ビット（ｂ２１）でアクセス制限フラグを示し、次の１ビット（ｂ２２）でセル再生モード（たとえば動画かスチルか）を示し、予約ビットを飛んで次の１ビット（ｂ２４）でシームレスアングル変更フラグを示し、次の１ビット（ｂ２５）でシステムタイムクロックＳＴＣの不連続フラグ（ＳＴＣをリセットするかどうか）を示し、次の１ビット（ｂ２６）でインターリーブ配置フラグ（Ｃ＿ＰＢＩで指定されたセルが連続ブロック中のものであるのかインターリーブドブロック中のものであるのか）を示し、次の１ビット（ｂ２７）でシームレス再生フラグ（Ｃ＿ＰＢＩで指定されたセルがシームレス再生されるべきかどうか）を示し、次の２ビット（ｂ２８〜ｂ２９）でセルブロックタイプ（たとえばアングルブロックかどうか）を示し、最後の２ビット（ｂ３０〜ｂ３１）でセルブロックモード（たとえばブロック内の最初のセルかどうか）を示すようになっている。
【００７８】
ここで、セルブロックモードが００ｂ（ｂはバイナリの意）のときはブロック内セルではないことを示し、それが０１ｂのときはブロック内の最初のセルであることを示し、それが１０ｂのときはブロック中のセルであることを示し、それが１１ｂのときはブロック内の最後のセルであることを示す。
【００７９】
また、セルブロックタイプが００ｂのときは該当ブロックの一部ではないことを示し、それが０１ｂのときは該当ブロックがアングルブロック（マルチアングルのセルを含むブロック）であることを示す。
【００８０】
一方、このセルブロックタイプ＝０１ｂを再生中に検知すれば、現在アングルブロック再生中であることを、図示しないアングルマークの点滅（または点灯色の変更、あるいはアングルマークの形の変更）により、視聴者に通知できる。これにより、視聴者は現在再生中の映像に関して別アングルの画像再生が可能なことを知ることができる。
【００８１】
また、インターリーブ配置フラグが０ｂのときは該当セルが連続ブロック中（複数ＶＯＢＵが連続記録されている）のものであることを示し、インターリーブ配置フラグが１ｂのときは該当セルがインターリーブドブロック（各々が１以上のＶＯＢＵを含むＩＬＶＵがインターリーブ記録されている）中のものであることを示す。
【００８２】
また、シームレスアングル変更フラグが立っている（＝１ｂ）ときは該当セルがシームレス再生の対象であることを示し、このフラグが立っていない（＝０ｂ）ときは該当セルがノンシームレス再生の対象であることを示す。
【００８３】
すなわち、インターリーブ配置フラグ＝１ｂでシームレスアングル変更フラグ＝０ｂときはノンシームレスアングル変更可能状態となり、インターリーブ配置フラグ＝１ｂでシームレスアングル変更フラグ＝１ｂのときはシームレスアングル変更可能状態となる。
【００８４】
なお、アクセス時間の極めて早いメディアドライブシステム（ビデオの１フレーム期間以内に所望のアングルブロックの先頭にアクセスできるシステム；光ディスクドライブシステムに必ずしも限定しない）が使用されるならば、インターリーブ配置フラグ＝０ｂ、すなわちインターリーブ記録されていないＶＯＢＵの集合（別々のアングルセル）の間で、素早いアングル変更を実現できる。
【００８５】
比較的アクセス速度の遅い光ディスク１０が記録メディアとして用いられる場合は、そのディスクの記録トラック１周分をインターリーブドブロック１個分の記録に割り当てておくとよい。そうすれば、隣接インターリーブドブロック間のジャンプ（アングル変更）時に光ヘッドのトレース先はディスクの半径方向に１トラック分だけ微動すればよいので、タイムラグの殆どないトラックジャンプ（シームレスアングル変更に適する）が可能になる。この場合、１ビデオオブジェクトユニット（ＶＯＢＵ）分のトラックジャンプをすると、最大、ディスクの１回転分のタイムラグが生じ得る。したがって、ＶＯＢＵ単位のジャンプを伴うアングル変更は、ノンシームレスアングル変更に適している。
【００８６】
光ディスクからタイトルセットのセルデータを読み取った後に、読み取りデータ中のシームレスアングル変更フラグの内容を視聴者（後述するＤＶＤビデオレコーダのユーザ）が任意に変更できるように、ＤＶＤビデオレコーダを構成することは可能である。
【００８７】
なお、シームレスアングル変更フラグはナビゲーションパック８６内に記載されているアングル情報（図示せず）がシームレスアングルかノンシームレスアングルかを示すフラグなので、このフラグを変更したときは、ナビゲーションパック８６内のアングル情報（図示せず）を修正（たとえばシームレスアングル情報からノンシームレスアングル情報への変更）する必要は出てくる。
【００８８】
また、セル再生モードが０ｂのときはセル内で連続再生することを示し、それが１ｂのときはセル内に存在するそれぞれのＶＯＢＵでスチル再生することを示す。
【００８９】
また、ユーザが録画・再生等を行なう場合において、アクセス制限フラグは、ユーザ操作による直接選択を禁止するときに使用できる。たとえば、問題集の回答が記録されたセルのアクセス制限フラグを１ｂとすることによって、ユーザが問題の回答をつまみ食いすることを禁止できる。
【００９０】
また、セルタイプは、たとえば該当セルがカラオケ用に作成されている場合に、その５ビットの内容によって、以下のものを示すことができる。
【００９１】
すなわち、０００００ｂならセルタイプの指定がなされず、００００１ｂならカラオケのタイトル画像が指定され、０００１０ｂならカラオケのイントロが指定され、０００１１ｂならクライマックス（さび）以外の歌唱部分が指定され、００１００ｂなら第１のクライマックスの歌唱部分が指定され、００１０１ｂなら第２のクライマックスの歌唱部分が指定され、００１１０ｂなら男性ボーカルの歌唱部分が指定され、００１１１ｂなら女性ボーカルの歌唱部分が指定され、０１０００ｂなら男女混声ボーカルの歌唱部分が指定され、０１００１ｂなら間奏曲（楽器だけの演奏）部分が指定され、０１０１０ｂなら間奏曲のフェードインが指定され、０１０１１ｂなら間奏曲のフェードアウトが指定され、０１１００ｂなら第１のエンディング演奏部分が指定され、０１１０１ｂなら第２のエンディング演奏部分が指定される。残りの５ビットコードの内容はその他の用途に使用できる。
【００９２】
なお、アングル変更は、カラオケの背景ビデオのアングル変更にも適用できる。（たとえばガイドボーカルを歌う歌手の全身映像、顔のアップ映像、口元のアップ映像などを、カラオケ音楽の流れに沿ってシームレスに、あるいは少し前に逆戻りしてノンシームレスに、さらには所望小節間のリピート再生中に、視聴者が望むままにアングル変更できる。）
また、セルスチル時間の８ビット内容が００００００００ｂのときは、スチルでないことが指定され、それが１１１１１１１１ｂのときは時限なしのスチルが指定され、それが０００００００１ｂ〜１１１１１１１０ｂのときは、この内容で指定された十進数（１〜２５４）を秒数表示した長さのスチル表示が指定される。またセルコマンド数は、該当セルの再生終了時に実行されるべきコマンド数を示す。
【００９３】
図１８は、プログラムチェーン一般情報ＰＧＣ＿ＧＩの内容を示す。
【００９４】
プログラムチェーン一般情報ＰＧＣ＿ＧＩには、プログラムチェーンの内容（ＰＧＣ＿ＣＮＴ）と、プログラムチェーンの再生時間（ＰＧＣ＿ＰＢ＿ＴＭ）と、プログラムチェーンのユーザ操作制御情報（ＰＧＣ＿ＵＯＰ＿ＣＴＬ）と、プログラムチェーンオーディオストリームの制御テーブル（ＰＧＣ＿ＡＳＴ＿ＣＴＬＴ）と、プログラムチェーン副映像ストリームの制御テーブル（ＰＧＣ＿ＳＰＳＴ＿ＣＴＬＴ）と、プログラムチェーンのナビゲーション制御情報（ＰＧＣ＿ＮＶ＿ＣＴＬ）と、プログラムチェーンの副映像パレット（ＰＧＣ＿ＳＰ＿ＰＬＴ）と、プログラムチェーンのコマンドテーブルの開始アドレス（ＰＧＣ＿ＣＭＤＴ＿ＳＡ）と、プログラムチェーンのプログラムマップの開始アドレス（ＰＧＣ＿ＰＧＭＡＰ＿ＳＡ）と、プログラムチェーン内のセルの再生情報テーブルの開始アドレス（Ｃ＿ＰＢＩＴ＿ＳＡ）と、プログラムチェーン内のセルの位置情報テーブルの開始アドレス（Ｃ＿ＰＯＳＩＴ＿ＳＡ）とが記載されている。
【００９５】
プログラムチェーンの内容ＰＧＣ＿ＣＮＴは、そのプログラムチェーン内のプログラム数およびセル数（最大２５５）を示す。ビデオオブジェクトＶＯＢなしのプログラムチェーンでは、プログラム数は「０」となる。
【００９６】
プログラムチェーンの再生時間ＰＧＣ＿ＰＢ＿ＴＭは、そのプログラムチェーン内のプログラムの合計再生時間を時間、分、秒、およびビデオのフレーム数で示したものである。このＰＧＣ＿ＰＢ＿ＴＭにはビデオフレームのタイプを示すフラグ（ｔｃ＿ｆｌａｇ）も記述されており、このフラグの内容によって、フレームレート（毎秒２５フレームあるいは毎秒３０フレーム）等が指定される。
【００９７】
プログラムチェーンのユーザ操作制御情報ＰＧＣ＿ＵＯＰ＿ＣＴＬは、再生中のプログラムチェーンにおいて禁止されるユーザ操作を示す。
【００９８】
プログラムチェーンオーディオストリームの制御テーブルＰＧＣ＿ＡＳＴ＿ＣＴＬＴは、８個のオーディオストリームそれぞれの制御情報を含むことができる。これらの制御情報各々は、該当プログラムチェーン内でそのオーディオストリームが利用可能かどうかを示すフラグ（アベイラビリティフラグ）およびオーディオストリーム番号からデコードするオーディオストリーム番号への変換情報を含んでいる。
【００９９】
プログラムチェーン副映像ストリームの制御テーブルＰＧＣ＿ＳＰＳＴ＿ＣＴＬＴは、該当プログラムチェーン内でその副映像ストリームが利用可能かどうかを示すフラグ（アベイラビリティフラグ）、および副映像ストリーム番号（３２個）からデコードする副映像ストリーム番号への変換情報を含んでいる。
【０１００】
プログラムチェーンのナビゲーション制御情報ＰＧＣ＿ＮＶ＿ＣＴＬは、現在再生中のプログラムチェーンの次に再生すべきプログラムチェーン番号を示すＮｅｘｔ＿ＰＧＣＮと、ナビゲーションコマンド「ＬｉｎｋＰｒｅｖＰＧＣ」あるいは「ＰｒｅｖＰＧＣ＿Ｓｅａｒｃｈ（）」によって引用されるプログラムチェーン番号（ＰＧＣＮ）を示すＰｒｅｖｉｏｕｓ＿ＰＧＣＮと、そのプログラムチェーンからリターンすべきプログラムチェーン番号を示すＧｏＵｐ＿ＰＧＣＮと、プログラムの再生モード（シーケンシャル再生、ランダム再生、シャッフル再生等）を示すＰＧ  Ｐｌａｙｂａｃｋ  ｍｏｄｅと、そのプログラムチェーンの再生後のスチル時間を示すＳｔｉｌｌ  ｔｉｍｅ  ｖａｌｕｅとを含んでいる。
【０１０１】
プログラムチェーンの副映像パレットＰＧＣ＿ＳＰ＿ＰＬＴは、そのプログラムチェーンにおける副映像ストリームで使用される１６セットの輝度信号および２つの色差信号を記述している。
【０１０２】
プログラムチェーンのコマンドテーブルの開始アドレスＰＧＣ＿ＣＭＤＴ＿ＳＡは、ＰＧＣ再生前に実行されるプリコマンド、ＰＧＣ再生後に実行されるポストコマンドおよびセル再生後に実行されるセルコマンドのための記述エリアである。
【０１０３】
プログラムチェーンのプログラムマップの開始アドレスＰＧＣ＿ＰＧＭＡＰ＿ＳＡは、そのプログラムチェーン内のプログラムの構成を示すプログラムマップＰＧＣ＿ＰＧＭＡＰの開始アドレスを、プログラムチェーン情報ＰＧＣＩの最初のバイトからの相対アドレスで記述したものである。
【０１０４】
プログラムチェーン内のセルの再生情報テーブルの開始アドレスＣ＿ＰＢＩＴ＿ＳＡは、そのプログラムチェーン内のセルの再生順序を決めるセル再生情報テーブルＣ＿ＰＢＩＴの開始アドレスを、プログラムチェーン情報ＰＧＣＩの最初のバイトからの相対アドレスで記述したものである。
【０１０５】
プログラムチェーン内のセルの位置情報テーブルの開始アドレスＣ＿ＰＯＳＩＴ＿ＳＡは、そのプログラムチェーン内で使用されるＶＯＢ識別番号およびセル識別番号を示すセル位置情報テーブルＣ＿ＰＯＳＩＴの開始アドレスを、プログラムチェーン情報ＰＧＣＩの最初のバイトからの相対アドレスで記述したものである。
【０１０６】
図１に戻って、ディスク記録再生装置について説明する。
【０１０７】
図１は、上記したような構造の情報を用いてデジタル動画情報を可変記録レートで記録再生する装置（ＤＶＤビデオレコーダ）の構成を例示している。
【０１０８】
ＤＶＤビデオレコーダの装置本体は、ＤＶＤ−ＲＡＭまたはＤＶＤ−Ｒディスク１０を回転駆動し、このディスク１０に対して情報の読み書きを実行するディスクドライブ部３２を有する。また録画側を構成するエンコーダ部５０と、再生側を構成するデコーダ部６０と、装置本体の動作を制御するマイクロコンピュータブロック３０とを有する。
【０１０９】
エンコーダ部５０は、ＡＤＣ（アナログ・デジタル変換器）５１と、セレクタ（ＳＥＬ）５２と、ビデオエンコーダ（Ｖ−ＥＮ）５３と、オーディオエンコーダ（Ａ−ＥＮ）５４と、副映像エンコーダ（ＳＰ−ＥＮ）５５と、フォーマッタ５６と、バッファメモリ５７とを備えている。
【０１１０】
ＡＤＣ５１には、ＡＶ入力部４２からの外部アナログビデオ信号＋外部アナログオーディオ信号、あるいはＴＶチューナ４４からのアナログＴＶ信号＋アナログ音声信号が入力される。このＡＤＣ５１は、入力されたアナログビデオ信号を、たとえばサンプリング周波数１３．５ＭＨｚ、量子化ビット数８ビットでデジタル化する。（すなわち、輝度成分Ｙ、色差成分Ｃｒ（またはＹ−Ｒ）および色差成分Ｃｂ（またはＹ−Ｂ）それぞれが、８ビットで量子化される。）
同様に、ＡＤＣ５１は、入力されたアナログオーディオ信号を、たとえばサンプリング周波数４８ｋＨｚ、量子化ビット数１６ビットでデジタル化する。
【０１１１】
なお、ＡＤＣ５１にアナログビデオ信号およびデジタルオーディオ信号が入力されるときは、ＡＤＣ５１はデジタルオーディオ信号をスルーパスさせる。
【０１１２】
ＡＤＣ５１にデジタルビデオ信号およびデジタルオーディオ信号が入力されるときは、ＡＤＣ５１はデジタルビデオ信号およびデジタルオーディオ信号をスルーパスさせる。
【０１１３】
ＡＤＣ５１からのデジタルビデオ信号は、ビデオエンコーダ５３を介してフォーマッタ５６に送られる。また、ＡＤＣ５１からのデジタルオーディオ信号は、オーディオエンコーダ５４を介してフォーマッタ５６に送られる。
【０１１４】
セレクタ５２は、後述する編集用の縮小画像を記録するような場合にビデオミキシング部からの信号を選択する。
【０１１５】
Ｖエンコーダ５３は、入力されたデジタルビデオ信号を、ＭＰＥＧ２またはＭＰＥＧ１規格に基づき、可変ビットレートで圧縮されたデジタル信号に変換する機能を持つ。
【０１１６】
また、Ａエンコーダ５４は、入力されたデジタルオーディオ信号を、ＭＰＥＧまたはＡＣ−３規格に基づき、固定ビットレートで圧縮されたデジタル信号（またはリニアＰＣＭのデジタル信号）に変換する機能を持つ。
【０１１７】
先の規格に基づくデータ構成のＤＶＤビデオ信号がＡＶ入力部４２から入力された場合（たとえば副映像信号の独立出力端子付ＤＶＤビデオプレーヤからの信号）、あるいはこのようなデータ構成のＤＶＤビデオ信号が放送されそれがＴＶチューナ４４で受信された場合は、ＤＶＤビデオ信号中の副映像信号成分（副映像パック）が、副映像エンコーダ（ＳＰエンコーダ）５５に入力される。ＳＰエンコーダ５５に入力された副映像データは、所定の信号形態にアレンジされて、フォーマッタ５６に送られる。
【０１１８】
フォーマッタ５６は、バッファメモリ５７をワークエリアとして使用し、入力されたビデオ信号、オーディオ信号、副映像信号等に対して所定の信号処理を行い、先に説明したようなフォーマット（ファイル構造）に合致した記録データをデータプロセサ３６に出力する。
【０１１９】
上記の処理では、主映像データ（ビデオデータ）の最小単位としてのセルが設定され、セル再生情報（Ｃ＿ＰＢＩ）が作成される。次に、プログラムチェーンを構成するセルの構成、主映像、副映像およびオーディオの属性等が設定され（これらの属性情報の一部は、各データをエンコードする時に得られた情報が利用される）、種々な情報を含めた情報管理テーブル情報（ＶＭＧＩ＿ＭＡＴやＶＴＳＩ＿ＭＡＴ）が作成される。
【０１２０】
エンコードされた主映像データ、オーディオデータおよび副映像データは、な一定サイズ（２０４８バイト）のパックに細分化される。これらのパックには、ダミーパックが適宜挿入される。なお、ダミーパック以外のパック内には、適宜、ＰＴＳ（プレゼンテーションタイムスタンプ）、ＤＴＳ（デコードタイムスタンプ）等のタイムスタンプが記述される。副映像のＰＴＳについては、同じ再生時間帯の主映像データあるいはオーディオデータのＰＴＳより任意に遅延させた時間を記述することができる。
【０１２１】
そして、各データのタイムコード順に再生可能なように、ＶＯＢＵ８５単位でその先頭にナビゲーションパック８６を配置しながら各データセルが配置されて、複数のセルで構成されるＶＯＢ８３が構成される。このＶＯＢ８３を１以上まとめたＶＯＢＳ８２が、ＶＴＳ７２の構造にフォーマットされる。
【０１２２】
ＤＶＤディスク１０に対して情報の読み書き（録画および／または再生）を実行するディスクドライブ手段は、ディスクドライブ３２と、一時記憶部３４と、データプロセッサ（Ｄ−ＰＲＯ部）３６と、システムタイムクロック（ＳＴＣ部）３８とを備えている。
【０１２３】
一時記憶部３４は、Ｄ−ＰＲＯ部３６を介してディスク１０に書き込まれるデータ（エンコーダ部５０から出力されるデータ）のうちの一定量分をバッファイリングしたり、ディスクドライブ３２を介してディスク１０から再生されたデータ（デコーダ部６０に入力されるデータ）のうちの一定量分をバッファリングするのに利用される。
【０１２４】
たとえば一時記憶部３４が４Ｍバイトの半導体メモリ（ＤＲＡＭ）で構成されるときは、平均４Ｍｂｐｓの記録レートでおよそ８秒分の記録または再生データのバッファリングが可能である。また、一時記憶部３４が１６ＭバイトのＥＥＰＲＯＭ（フラッシュメモリ）で構成されるときは、平均４Ｍｂｐｓの記録レートでおよそ３０秒の記録または再生データのバッファリングが可能である。さらに、一時記憶部３４が１００Ｍバイトの超小型ＨＤＤ（ハードディスク）で構成されるときは、平均４Ｍｂｐｓの記録レートで３分以上の記録または再生データのバッファリングが可能となる。また、一時記憶部３４は、録画途中でディスク１０を使い切ってしまった場合において、ディスク１０が新しいディスクに交換されるまでの録画情報を一時記憶しておくことに利用できる。
【０１２５】
Ｄ−ＰＲＯ部３６は、マイクロコンピュータブロック（ＭＰＵ部）３０の制御にしたがって、エンコーダ部５０からのＤＶＤ記録データをディスクドライブ３２に供給したり、ディスク１０から再生されたＤＶＤ再生信号をドライブ３２から取り出したり、ディスク１０に記録された管理情報（ディレクトリレコード、ＶＭＧＩ＿ＭＡＴ、ＶＴＳＩ＿ＭＡＴ等）を書き換えたり、ディスク１０に記録されたデータ（ファイルあるいはＶＴＳ）の削除をしたりする。
【０１２６】
ＭＰＵ部３０は、ＣＰＵ、制御プログラム等が書き込まれたＲＯＭ、およびプログラム実行に必要なワークエリアを提供するＲＡＭを含んでいる。
【０１２７】
このＭＰＵ部３０は、そのＲＯＭに格納された制御プログラムに従い、そのＲＡＭをワークエリアとして用いて、後述する空き容量検出、記録量（録画パック数）検出、残量検出、警告、記録モード変更指示、その他の処理を実行する。
【０１２８】
更に、ＭＰＵ部３０は、例えばセル単位に対して、消去禁止範囲指示機能、消去禁止設定機能、セル切り分け機能、消去禁止検知機能を備えており、ユーザのシステムに対する使い勝手を向上している。
【０１２９】
又、ＭＰＵ部３０は、図２８以降で説明する記録媒体については、プログラム単位での消去禁止範囲指示機能、消去禁止設定機能、プログラム切り分け機能、消去禁止検知機能を備えており、ユーザのシステムに対する使い勝手を向上している。
【０１３０】
さらにまたこのＭＰＵ部３０は、プログラム切り分け機能とセル切り分け機能とを併用していてもよい。
【０１３１】
ＭＰＵ部３０の実行結果のうち、ＤＶＤビデオレコーダのユーザに通知すべき内容は、ＤＶＤビデオレコーダの表示部４８に表示され、またはモニタディスプレイにオンスクリーンディスプレイ（ＯＳＤ）で表示される。
【０１３２】
デコーダ部６０は、さきに説明したパック構造を持つＤＶＤ再生データから各パックを分離して取り出すセパレータ６２と、パック分離その他の信号処理実行時に使用するメモリ６３と、セパレータ６２で分離されたビデオパック８８の内容）をデコードするビデオデコーダ（Ｖ−ＤＥ）６４と、セパレータ６２で分離された副映像パック９０の内容をデコードする副映像デコーダ（ＳＰ−ＤＥ）６５と、セパレータ６２で分離されたオーディオパック９１の内容をデコードするオーディオデコーダ（Ａ−ＤＥ）６８と、Ｖデコーダ６４からのビデオデータにＳＰ−ＤＥ６５からの副映像データを適宜合成し、主映像にメニュー、ハイライトボタン、字幕その他の副映像を重ねて出力するビデオプロセッサ（Ｖ−ＰＲＯ部）６６とを有する。
【０１３３】
ビデオプロセッサ６６の出力は、ビデオミキシング部２００を介した後、ビデオ・デジタル・アナログ変換器（Ｖ・ＤＡＣ）６７を介してテレビジョン受信機などのモニタに供給される。また、オーディオデコーダ６８からの出力は、デジタルアナログ変換器（ＤＡＣ）６９を介して外部スピーカに供給される。またオーディオデコーダ部６８の出力は、インターフェースを介してデジタル信号のまま取り出すこともできる。ビデオミキシング部２００には、作業用としてフレーメモリ２０１が接続されている。またＭＰＵ部３０には、キー入力部４９、記録再生機用の表示部４８が接続されている。
【０１３４】
まず上記の装置の動作を簡単に説明する。
【０１３５】
図１９には録画時の動作フローチャートを示している。
【０１３６】
まず、ＭＰＵ部３０がキー入力部４９より録画命令受けると、ディスクドライブ部３６を介して管理データを読み込み、書き込む領域を決定する。次に、決定された領域に対して、データを書き込めるように管理領域に管理用のデータを設定し、ビデオデータの書き込みスタートアドレスをディスクドライブ部３６に設定し、データを記録する準備を行う（ステップＡ１−Ａ５）。録画スペースが無い場合には、警告音あるいは表示を行う。次に、ＭＰＵ部３０はＳＴＣ部３８に時間のリセットを行う。ここで、ＳＴＣ部３８はシステムのタイマーでこの値を基準にして録画、再生を行う。さらに、ＭＰＵ部３０はその他の各設定を行う（ステップＡ６，Ａ７）。ビデオ信号の流れは、次のようになる。
【０１３７】
まず、ＴＶチューナー部４４または外部入力より入力されたＡＶ信号をアナログデジタル変換し、映像信号はビデオエンコーダ５３へ、音声信号はオーディオエンコーダ５４へ供給される。また、ＴＶチューナ４４より、または文字放送等のテキスト信号がＳＰエンコーダ５５へ入力される。
【０１３８】
各エンコーダは、それぞれの信号を圧縮してパケット化し（ただし、各パケットは、パック化した時に１パックあたり２０４８バイトになるように切り分けて、パケット化する）、フォーマッタ５６に入力する。ここで、各エンコーダは、ＳＴＣ部３８の値に従って各パケットのＰＴＳ、ＤＴＳを必要に応じて、決定する。
【０１３９】
フォーマッタ５６は、バッファメモリ５７へパケットデータを一時保存し、その後、入力された各パケットデータをパック化して、ＧＯＰ毎にミキシングして、前記ＧＯＰの頭に、ＮＶパックを追加して、Ｄ−ＰＲＯ部３６へ入力する。
【０１４０】
Ｄ−ＰＲＯ部３６は１６パック毎にまとめてＥＣＣグループとして、ＥＣＣをつけてディスクドライブ部３２へ送る。ただし、ディスクドライブ部３２がディスクへの記録準備が出来ていない場合には、一時記憶部３４へ転送し、データを記録する準備が出来るまで待ち、用意が出来た段階で記録を開始する。ここで、一時記憶部３４は高速アクセスで数分以上の記録データを保持するため、大容量メモリが想定される。
【０１４１】
また、録画終了時に、各ＮＶパック内の早送り、巻き戻し用のデータ部分に、各ＮＶパックのアドレスデータを記録して、管理領域には録画終了後に必要な情報を記録して録画動作を終了する（ステップＡ８乃至Ａ１４）。
【０１４２】
ただし、ＭＰＵ部３０は、ファイルの管理領域などを読み書きするために、Ｄ−ＰＲＯ部３０へマイコンバスを通して、読み書きすることが出来る。
【０１４３】
ここで、録画終了時に、本システムで使用するセル単位の消去禁止フラグ（ARCHIVE  Flag）をクリアし、消去許可とする。消去禁止フラッグは、先に説明し たようにＣ＿ＰＢＩ内に記述されている。つまり、記録初期時には、消去を可能としている。またＶＭＴに消去禁止フラッグがあるときは、それもクリアする。
【０１４４】
さらに、再生時のデータ処理は、以下の通りとなる。まず、ＭＰＵ部３０は再生命令を受けると、ディスクドライブ部３２を介してＤ−ＰＲＯ部３６を通して、管理領域のデータを読み込み、再生するアドレスを決定する。ＭＰＵ部３０は次にドライブ部３２に先ほど決定された再生するデータのアドレスとリード命令を送る。
【０１４５】
ドライブ部３２は送られた命令に従って、ディスク１０よりセクタデータを読みだし、Ｄ−ＰＲＯ部３６でエラー訂正を行い、パックデータの形にしてデコーダ部６０へ出力する。デコーダ部６０内部では、読みだしたパックデータをセパレータ６２が受け取り、パケット化し、データの目的に応じて、ビデオパケットデータ（ＭＰＥＧビデオデータ）はビデオデコーダ６４へ転送し、オーディオパケットデータはオーディオデコーダ６８へ、副映像パケットデータはＳＰデコーダ６５へ転送し、また、ＮＶパックは、ＭＰＵ部３０が処理するため内部メモリへ保存し、いつでも、ＭＰＵ部３０がアクス出来るようにする。
【０１４６】
送られた各パケットデータは、転送開始時に、ヘッダに含まれているＰＴＳをＳＴＣ部３８へロードし（ＮＶパック内のＰＴＳをＭＰＵ部がＳＴＣへセットして、またはビデオデコーダ６４が自動的にビデオデータのＰＴＳをＳＴＣ部３８へセットする）、その後、各デコーダはパケットデータ内のＰＴＳの値に同期して（ＰＴＳとＳＴＣの値を比較しながら）再生処理を行い、ＴＶモニタに音声字幕付きの動画を再生することができる。
【０１４７】
ここで、データ管理を細かく行うために、図１６に示したように、セル再生情報（ＣＰＢ＿Ｉ）に消去禁止フラグを設けることができる。
【０１４８】
つまりこのシステムでは、タイトル単位での設定ではなく、セル単位で消去禁止フラグを設けることにより、セル単位での消去禁止設定が可能となり、より細かな管理が可能となる。
【０１４９】
図２０、図２１を参照して動作フローを説明する。その時の画面推移を図２２に示し、もし、セルを切り分ける必要がある場合には、そのイメージを図２３に示す。まず、消去禁止設定処理は、以下のようになる。
【０１５０】
１）消去禁止するタイトルをユーザーが選ぶ。
【０１５１】
２）すると選択したタイトル（ＶＴＳ、又はＰＧＣ）の再生時間に応じたタイムバーと範囲を指定する為のカーソルを表示される。この時、セル毎に点線などで区切ることにより、ユーザーにその点線内が同じシーンであることを示すことができる（図２２参照）。つまり、たとえば、ビデオカメラでは、録画開始から、一時停止キー又は録画終了キーを押すまでが、このシーンに相当する。また、ＴＶドラマでは、コマーシャル（ＣＭ）から次のＣＭまでと言うことになる。
【０１５２】
３）カーソルとマーカーキーにより、消去禁止設定開始位置をユーザーが指定し、その指定された位置に相当するＶＯＢＵのアドレス等をワークメモリに保存する。このとき、そのカーソルの示すＶＯＢＵの先頭のＩピクチャが縮小画像として、表示され選択をやりやすくしている。また、その時の再生時間も表示する事もでる。ここで、再生時間は、例えばセルの再生時間情報を計算することにより得られる。
【０１５３】
４）カーソルとマーカーキーにより、消去禁止設定終了位置をユーザーが指定し、その指定された位置に相当するＶＯＢＵのアドレス等をワークメモリに保存する。
【０１５４】
５）選択された範囲でいいか確認し、いけない場合にはワークメモリをクリアし、項目４）の処理へ移行する。
【０１５５】
上記の処理が図２０のステップＢ１乃至Ｂ９に相当する。
【０１５６】
６）設定スタート位置より、セルを分割する必要があるか判断し（セルスタート位置と、設定スタート位置が一致しているかどうかを判断する。）、必要がない場合には、項目８）の処理へ移行する。
【０１５７】
７）分割する必要があるときは、分割するセル（ＣＥＬＬ＿Ｎ）を決定し（各セルのＣ＿ＰＢＩ内のスタートＶＯＢＵ、エンドＶＯＢＵより決定する。または、カーソルによる設定時にセル番号を決定し保存しておいたものを使用する。）、セルの分割作業を行う。
【０１５８】
具体的には、CELL-NのC_PBI内の終了VOBUの先頭アドレス：Ｃ＿ＦＶＯＢＵ＿ＳＡ、終了アドレス：Ｃ＿ＬＶＯＢＵ＿ＥＡ、Ｃ＿ＰＢＴＭを保存し、分割するＶＯＢＵのＮＶ＿ＰＡＣＫのサーチ情報により、Ｃ＿ＦＶＯＢＵ＿ＳＡ、Ｃ＿ＬＶＯＢＵ＿ＥＡ、Ｃ＿ＰＢＴＭをを書き換える。
【０１５９】
次に、CELL-Nの次からのＣ＿ＰＢＩを１セル分移動する。
【０１６０】
移動した場所に以下の内容の新たなＣ＿ＰＢＩを記録する。
【０１６１】
C_CAT：CELL-Nと同じもの。  C_PBTM：分割した再生時間。  C_FVOBU_SA：分 割したVOBUの先頭アドレス。  C_FILVU_EA：割したILVUの終了アドレス。  C_LVOBU_SA：CELL-Nの変更前のC_LVOBU_SA。  C_LVOBU_EA：CELL-Nの変更前のC_LVOBU_EA。
【０１６２】
８）設定スタートのセルから設定エンドのセルの前までのセルに消去禁止フラグをセットする。
【０１６３】
ここまでの処理が、図２０のステップＢ１０から図２１のステップＢ１５に相当する。
【０１６４】
９）設定エンド位置より、ＣＥＬＬを分割する必要があるか判断し（ＣＥＬＬエンド位置と、設定エンド位置が一致しているかどうかを判断する）、必要がない場合には、項目１１）へ移行する。
【０１６５】
１０）分割するＣＥＬＬ（ＣＥＬＬ＿Ｎ）を決定（これは各ＣＥＬＬのＣ＿ＰＢＩ内のスタートＶＯＢＵ、エンドＶＯＢＵより決定する。または、カーソルによる設定時にＣＥＬＬ番号を決定し保存しておいたものを使用する。）し、ＣＥＬＬの分割作業を行う。
【０１６６】
具体的には、ＣＥＬＬ＿ＮのＣ＿ＰＢＩ内の先頭ＶＯＢＵの先頭アドレス：Ｃ＿ＦＶＯＢＵ＿ＳＡ、終了アドレス：Ｃ＿ＬＶＯＢＵ＿ＥＡ、Ｃ＿ＰＢＴＭを保存し、分割するＶＯＢＵのＮＶ＿ＰＡＣＫのサーチ情報により、Ｃ＿ＦＶＯＢＵ＿ＳＡ、Ｃ＿ＬＶＯＢＵ＿ＥＡ、Ｃ＿ＰＢＴＭを書き換える。
【０１６７】
次に、ＣＥＬＬ＿Ｎの次からのＣ＿ＰＢＩを１セル分移動する。
【０１６８】
移動した場所に新たなＣ＿ＰＢＩを記録する。
【０１６９】
C_CAT：CELL-Nと同じもの。  C_PBTM：分割した再生時間。  C_FVOBU_SA：分 割したVOBUの先頭アドレス。  C_FILVU_EA：割したILVUの終了アドレス。  C_LVOBU_SA：CELL-Nの変更前のC_LVOBU_SA。  C_LVOBU_EA：CELL-Nの変更前のC_LVOBU_EA。
【０１７０】
１１）設定エンドのセルに消去禁止フラグをセットする。
【０１７１】
１２） 設定は終わるかどうかを判断し、終わらない場合には、１）へ移行する。
【０１７２】
ここまでの処理が図２１のステップＢ１６からＢ２３に相当する。
【０１７３】
ただし、本実施例では、ＤＶＤ―ビデオフォーマットに基づいて処理を行っているが、公開番号：Ｈ１０−０４０８７６号公報で、使用しているような、ＶＯＢＵマップやタイムマップが存在する場合には、ＮＶパックからのデータを使用せずにＶＯＢＵマップからのデータにより、セル分割処理を行うことが可能となり、管理領域だけで本処理を行うことが可能となる。
【０１７４】
図２４は、消去禁止設定解除をセル単位で行う時の動作フローを示し、図２５には、ＴＶ画面の表示例を示す。
【０１７５】
１）消去禁止するタイトルをユーザーが選ぶ。
【０１７６】
２）選択したタイトル（ＶＴＳ、又はＰＧＣ）の再生時間に応じたタイムバーとＣＥＬＬを指定する為のカーソルを表示する（図２５参照）。
【０１７７】
３）カーソルとマーカーキーにより、消去禁止設定解除ＣＥＬＬをユーザーが指定する。
【０１７８】
ここまでの処理がステップＣ１からＣ６に相当する。
【０１７９】
４）指定されたＣＥＬＬの消去禁止解除をしていいかを確認し、いけない場合には項目２）に移行する。
【０１８０】
５）消去禁止解除しても良い場合は、指定されたＣＥＬＬの消去禁止フラグをクリアする。
【０１８１】
ここまでの処理がステップＣ７からＣ９に相当する。
【０１８２】
図２６には、さらにその時の消去動作動作フローを示し、図２７にはＴＶ画面の表示例を示す。
【０１８３】
１）消去するタイトルをユーザーが選ぶ。
【０１８４】
２）目的のタイトル（ＶＴＳ又はＰＧＣ）に消去禁止セルがあるかどうかを判断し、無い場合には、通常の消去動作を行う。ここで、判定には、各ＣＥＬＬのＣ＿ＰＢＩ内のＡＲＣＨＴＩＶＥ＿ＦＬＡＧ（消去禁止フラッグ）をチェックして、判定する。
【０１８５】
３）ユーザーに消去禁止ＣＥＬＬが存在する旨を表示し、消去設定されていない部分の消去を行うかかどうかをユーザーに選択させ、“Ｎｏ”の場合には処理を終了する（図２７参照）。
【０１８６】
４）目的のＰＧＣＩの内、消去禁止ＣＥＬＬだけを残して、それ以外のＣ＿ＰＢＩを消去し、ＰＧＣＩを再構成する。
【０１８７】
ここまでの処理がステップＤ１からＤ６に相当する。
【０１８８】
５）ファイル管理情報内に対しては、セル単位で消去したＶＴＳのファイルの新しい管理データを作成して書き換える（ステップＤ７からＤ１２）。
【０１８９】
以上により、Ｃ＿ＰＢＩに消去禁止フラグを追加することにより、消去禁止設定をより細かい単位で指定することができるようになる。
【０１９０】
なおこの発明は上記の実施の形態に限定されるものではなく、種々の変形実施が可能である。つまり細かいセル単位でマーク（消去禁止フラッグ）を付けることが可能であるから、逆にこのフラッグを消去用のフラッグとして活用することも可能である。特に、特定の範囲についてセルを分割してアドバンスドセルを設けたような場合、細かな範囲で消去禁止あるいは消去を行うことができる。これは再生装置の処理機能により任意に設定できる。
【０１９１】
この発明は上記の実施の形態に限定されるものではなく、各動作フローに示した処理手順を示すソフトウエアを、予め記録媒体に記録しておき、これをプレーヤが読取り、自動的に各動作フローの機能を実現する環境を整えるようにしてもよい。従ってこのシステムは、ＤＶＤディスク自体が、上記動作フローをプレーヤに実現させるための情報（ソフトウエアアプリケーション）を記録されていることも含むものである。
【０１９２】
この発明の他の実施形態について更に説明する。
【０１９３】
図２８には、別の実施の形態における光ディスクのデータの構成を示している。リードインエリア２７は、光反射面が凹凸形状をもつエンボスデータゾーンと、表面が平坦（鏡面）なミラーゾーンと、情報の書き換えが可能なリライタブルデータゾーンとを含む。リードアウトエリア２６も情報書き換えが可能なように構成される。
【０１９４】
データ記録エリア（ボリウムスペース）２８は、ユーザによる書き換えが可能なボリウム／ファイル管理情報７０及びデータエリアＤＡで構成される。ボリウム／ファイル管理情報７０には、データエリアＤＡに記録されたオーディオ・ビデオデータのファイル情報やボリウム全体に関する情報が記録される。
【０１９５】
データエリアＤＡには、コンピュータデータを記録するエリアＤＡ１，ＤＡ３，ビデオオーディオデータなどを記録するオーディオ・ビデオデータエリアＤＡ２が混在して記録できるようになっている。
【０１９６】
オーディオ・ビデオデータエリアＤＡ２は制御情報ＤＡ２１，ビデオオブジェクトＤＡ２２，ピクチャーオブジェクトＤＡ２３，オーディオオブジェクトＤＡ２４を含む。
【０１９７】
制御情報ＤＡ２１は、記録（録画または録音）、再生、編集、検索などの各処理をおこなうときに必要な制御情報を含むことができる。例えば、ナビゲーションデータであるＲＴＲ＿ＶＭＧのファイルＲＴＲ．ＩＦＯ（後述する）を、制御情報ＤＡ２１に含ませることができる。
【０１９８】
ビデオオブジェクトＤＡ２２はき録されたビデオデータの中身（コンテンツ）を含むことができる。ピクチャオブジェクトＤＡ２３は、スチル画、スライド画などの静止画情報を含むことができる。オーディオオブジェクトＤＡ２４は、記録されたオーディオデータの中身（コンテンツ）の情報を含むことができる。
【０１９９】
ビデオオブジェクトは、ビデオオブジェクトセット（ＶＯＢＳ）により構成される。このＶＯＢＳは各々が異なる方法でセル再生順序を指定した１以上のプログラムチェーンＰＧＣ＃１乃至＃ｋに対応した内容を持つ。
【０２００】
リードインエリア２７のエンボスデータゾーンには例えば以下のような情報が事前に記録されている。
【０２０１】
（１）ＤＶＤ−ＲＯＭ，ＤＶＤ−ＲＡＭ（ＤＶＤ−ＲＷ），ＤＶＤ−Ｒなどのディスクタイプ、１２ｃｍ、８ｃｍなどのディスクサイズ、記録密度、記録開始／記録終了位置を示す物理セクタ番号、その他の、情報記憶媒体全体に関する情報。
【０２０２】
（２）記録パワーと記録パルス幅、消去パワー、再生パワー、記録・消去時の線速度、その他の、記録・再生・消去特性に関する情報。
【０２０３】
（３）製造番号など、個々の情報記憶媒体の製造に関する情報。
【０２０４】
またリードインエリア２７、リードアウトエリア２６のリライタブルゾーンは、それぞれ例えば以下の領域を含んでいる。
【０２０５】
（４）各情報記憶媒体毎の固有ディスク名を記録する領域。
【０２０６】
（５）試し記録領域（記録消去条件の確認用）。
【０２０７】
（６）データエリアＤＡ内の欠陥領域に関する管理情報を記録する領域。
【０２０８】
上記（４）乃至（６）の領域には、ＤＶＤ−ＲＴＲ録再機（ＲＴＲビデオレコーダあるいはＤＶＤ−ＲＡＭドライブ付きパーソナルコンピュータ）による記録が可能となっている。
【０２０９】
図２９は、図２８のＶＯＢのデータ構造を説明する図である。ビデオオブジェクトを構成する各セル（例えばセル＃ｍ）は１以上のビデオオブジェクトユニット（ＶＯＢＵ）で構成される。各ＶＯＢＵはビデオパック、副映像パック、オーディオパック及びダミーパックなどの集合体（パック列）として構成される。これらのパックは、いずれも２０４８バイトの所定サイズを持ち、データ転送処理をおこなう際の最小単位となる。
【０２１０】
ＶＯＢＵの再生時間は、ＶＯＢＵ中に含まれる１以上の映像グループ（ＧＯＰ）で構成されるビデオデータの再生時間に相当し、その再生時間は０．４秒乃至１．２秒の範囲内である。１ＧＯＰは、ＭＰＥＧ規格では０．５秒であり、その間に１５枚程度のフレーム画像を再生するように圧縮された画像データである。
【０２１１】
ＶＯＢＵがビデオデータを含む場合には、ビデオパック、副映像パック、オーディオパックなどから構成されるＧＯＰが配列されてビデオストリームが構成される。
【０２１２】
ＶＯＢＵを構成するパックは、ダミーパックを除き同様なデータ構造をもつ。オーディオパックを例にとると、その先頭にパックヘッダが配置され、次に、パケットヘッダが配置され、その次にサブストリームＩＤが配置され、最後にオーディオデータが配置される。
【０２１３】
このパック構成において、パケットヘッダにはパケット内の最初のフレームの先頭時間を示すプレゼンテーションタイムスタンプＰＴＳの情報が記述されている。一方ビデオパックは、上記のオーディオパックからサブストリームＩＤを取り除いたデータ構造を持つ。ただしＶＯＢＵ内の先頭ビデオパックについては、パックヘッダとパケットヘッダとの間に所定のシステムヘッダが設けられている。
【０２１４】
このようなビデオオブジェクトＤＡ２２を有するようなプログラムをディスクに記録でいるＤＶＤ−ＲＴＲ録再機では、プログラムの記録の後で、記録内容を編集したいという要望がある。これに答えるために、各ＶＯＢＵ中には、ダミーパックを適宜挿入できるようになっている。このダミーパックは後で編集用のデータ記録する場合に利用できる。
【０２１５】
図３０は、ダミーパックのデータ構造を示している。
【０２１６】
１つのダミーパック８９は、パックヘッダ８９１と所定のストリームＩＤを持つパケットヘッダ８９２、と、所定のコード（無効データ）で埋められたパディングデータ９８３とで構成される。パケットヘッダ８９２及びパディングデータ８９３がパディングパケット８９０を構成している。未使用ダミーパックのパディングデータ８９３の内容は、特に意味を持たない。ダミーパックは、録画内容を編集する場合、その他、ダミーパックをオーディオパックとして利用してアフターレコーディングするような場合（事後追加）に適宜利用される。
【０２１７】
図３１には、上記の実施形態における光ディスクのディレクトリー構造の例を示している。
【０２１８】
ＲＴＲ．ＩＦＯファイル（リアルタイムインフォメーションファイル）は、管理情報としてのデータであり、プログラムセット、プログラム、エントリーポイント、プレイリスト、など提供するナビゲーションデータである。ＲＴＲ＿ＭＯＶ．ＶＲＯファイル（リアルタイムレコーディングムービービデオファイル）は、ムービービデオオブジェクトとして分類されたストリームデータが記録されたファイルである。ＲＴＲ＿ＳＴＯ．ＶＲＯファイル（リアルタイムレコーディングスチルピクチャービデオファイル）とＲＴＲ＿ＳＴＡ．ＶＲＯファイル（リアルタイムレコーディングスチルピクチャーオーディオファイル）については、次のように定義されている。これらの２つのファイル内には、スチルピクチャーＶＯＢ（ビデオオブジェクト）として分類されたストリームデータが記録されるものであり、ＲＴＲ＿ＳＴＯ．ＶＲＯファイルは、任意の副映像ユニットと任意のオーディオ部分を含むビデオ部分からなるオリジナルＶＯＢを記録するのに用いられる。ＲＴＲ＿ＳＴＡ．ＶＲＯファイルは、アフターレコーディングにおいて、オーディオストリームを提供する付加オーディオ部分を記録するのに使用される。そして、ＲＴＲ＿ＳＴＡ．ＶＲＯファイルに記録されたオーディオは、ＲＴＲ＿ＳＴＯ．ＶＲＯファイルに記録されたビデオの幾つかとの組み合わせで使用される。そしてスチルピクチャーＶＯＢが存在する限り、ＲＴＲ＿ＳＴＯ．ＶＲＯファイルは存在し、付加オーディオ部分が存在する限りＲＴＲ＿ＳＴＡ．ＶＲＯファイルが存在する。
【０２１９】
さらに他のディレクトリーとして、オーディオマネジャーインフォメーションファイル（ＡＵＤＩＯ＿ＴＳ．ＩＦＯファイル…オーディオデータの全体の管理情報）、オーディオマネジャーインフォメーションバックアップファイル（ＡＵＤＩＯ＿ＴＳ．ＢＵＰファイル）、オーディオタイトルセットインフォメーションファイル（ＡＴＳ＿０１．ＩＦＯファイル…オーディオタイトルセットの管理情報），オーディオタイトルセットオーディオオブジェクトファイル（ＡＴＳ＿０．１．ＡＯＢファイル…オーディオデータ）が存在してもよい。
【０２２０】
図３２には、管理情報（制御情報）の構造を階層的に示している。
【０２２１】
図ではビデオマネージャ（ＶＭＧ）の構成を示し、特に、オリジナルプログラムチェーン情報（ＯＲＧ＿ＰＧＣＩ）、ユーザ定義プログラムチェーン情報テーブル（ＵＤ＿ＰＧＣＩＴ）の系統を階層的に詳しく示している。
【０２２２】
ＶＭＧは、ＲＴＲ（リアルタイムレコーディング）ビデオマネージャー情報（ＲＴＲ＿ＶＭＧＩ）と、ムービーＡＶファイル情報テーブル（Ｍ＿ＡＶＦＩＴ）と、スチルピクチャーＡＶファイル情報テーブル（Ｓ＿ＡＶＦＩＴ），オリジナルＰＧＣ情報（ＯＲＧ＿ＰＧＣＩ）、ユーザ定義ＰＧＣ情報テーブル（ＵＤ＿ＰＧＣＩＴ）、テキストデータマネージャー（ＴＸＴＤＴ＿ＭＧ）、製造元情報テーブル（ＭＮＦＩＴ）から構成されている。
【０２２３】
（ＲＴＲ＿ＶＭＧＩ）は、ＶＭＧＩ＿ＭＡＴ（ビデオマネージャー情報マネジメントテーブル）とＰＬ＿ＳＲＰＴ（プレイリストサーチポインターテーブル）とで構成される（図３３）。
【０２２４】
ＶＭＧＩ＿ＭＡＴには、このＶＭＧの識別信号、このＶＭＧ全体の終了アドレス、このＶＭＧＩの終了アドレス、バージョン番号、ディスク上の時間ゾーン、スチルピクチャーのスチルタイム、基本テキストの文字セットコード等が記述されている。
【０２２５】
ＰＬ＿ＳＲＰＴには、ディスク内のプレイリストをサーチしアクセスするための情報が記述される。プレイリストは、ユーザ定義ＰＧＣにより形成されている。したがって、各プレイリストサーチポインタは、各プレイリストに対応するＰＧＣ番号を有する。即ち、ＰＬ＿ＳＲＰＴには、プレイリストサーチポインタ情報（ＰＬ＿ＳＲＰＴＩ）、プレイリストサーチポインタ（ＰＬ＿ＳＲＰ＃ｎ）が記述されている。
【０２２６】
プレイリストサーチポインタ（ＰＬ＿ＳＲＰ＃ｎ）には、プレイリストタイプ（ムービープレイリストか、スチルピクチャープレイリストか、ハイブリッドプレイリストかの識別）、ＰＧＣ番号、プレイリストが増加されたときの時間、基本テキスト情報、当該プレイリストためのテキストサーチポインタ、サムネールポインタ情報の等が記述されている。
【０２２７】
図３２のムービーＡＶファイル情報テーブル（Ｍ＿ＡＶＦＩＴ）には、ムービーＡＶファイル情報テーブル情報（Ｍ＿ＡＶＦＩＴＩ）、ムービーＶＯＢストリーム情報＃ｎ（Ｍ＿ＶＯＢ＿ＳＴＩ＃ｎ）、ムービーＡＶファイル情報（ＭＶ＿ＡＶＦＩ）が記述されている（図３４）。
【０２２８】
図３４のＭ＿ＡＶＦＩＴＩには、ムービーＡＶファイル情報の数、ムービーＶＯＢストリーム情報の数、エンドアドレスが記述されている。また、Ｍ＿ＶＯＢ＿ＳＴＩ＃ｎには、ビデオ属性、オーディオストリーム数、副映像ストリーム数、各オーディオストリームの属性、副映像ストリームの属性、副映像のカラーパレットなどが記述されている。
【０２２９】
更に、Ｍ＿ＡＶＦＩには、ムービーＡＶファイル一般情報（Ｍ＿ＡＶＦＩ＿ＧＩ），ムービーＶＯＢ情報サーチポインタ（Ｍ＿ＶＯＢ＿ＳＲＰ＃ｎ）、ムービーＶＯＢ情報＃ｎ（Ｍ＿ＶＯＢ＿ＳＴＩ＃ｎ）が記述されている。
【０２３０】
Ｍ＿ＡＶＦＩ＿ＧＩには、Ｍ＿ＶＯＢ＿ＳＲＰに数が記述され、Ｍ＿ＶＯＢ＿ＳＲＰ＃ｎには、対応するムービーＶＯＢ情報のスタートアドレスが記述されている。
【０２３１】
ムービーＶＯＢ情報＃ｎ（Ｍ＿ＶＯＢ＿ＳＴＩ＃ｎ）には、ムービーＶＯＢ一般情報（Ｍ＿ＶＯＢＩ＿ＧＩ），シームレス情報（ＳＭＬＩ）、オーディオギャップ情報（ＡＧＡＰＩ）、タイムマップ情報（ＴＭＡＰＩ）が含まれる。
【０２３２】
ムービーＶＯＢ一般情報（Ｍ＿ＶＯＢＩ＿ＧＩ）には、ビデオタイプ、当該ＶＯＢが記録されたときのＶＯＢヘッドの時間、当該ＶＯＢが記録されたときのＶＯＢヘッドの時間（秒）、ムービーＶＯＢストリーム情報番号、このＶＯＢの開始ＰＴＭ（プレゼンテーションタイム）、このＶＯＢの終了ＰＴＭ（プレゼンテーションタイム）が記述されている。
【０２３３】
ビデオタイプとしては、このＶＯＢが通常タイプのものであるのか、仮消去のものであるかを示している。またそのオーディオストリーム＃０がオリジナルのものであるか、さらには部分的或いは全部が修正されたものであるかを示している。またそのオーディオストリーム＃１がオリジナルのものであるのか、修正されたものであるのか、さらには、ダミーであり、手付かずのものであるのか、さらには、最初ダミーであり、何らかの形で利用され修正を加えられたものであるのかを示している。またオーディオギャップを有するものであるのか或いはそうでないかを示している。
【０２３４】
シームレス情報（ＳＭＬＩ）は、このＶＯＢをその前のＶＯＢからシームレスで提供するために必要な最初のパックのためのシステムクロックリファレンス（ＳＣＲ）が記述されている。また先のＶＯＢの最後のパックのＳＣＲが記述されている。
【０２３５】
オーディオギャップ情報（ＡＧＡＰＩ）は、このＶＯＢ内の各オーディオストリームのオーディオギャップ情報を述べており、不連続部でのオーディオの停止時間をのべている。
【０２３６】
タイムマップ情報（ＴＭＡＰＩ）は、特殊再生、時間サーチを実現するために用意されたものであり、タイムマップ一般情報（ＴＭＡＰ＿ＧＩ）、タイムエントリー情報（ＴＭ＿ＥＮＴ＃ｎ）、ＶＯＢＵエントリー情報（ＶＯＢＵ＿ＥＮＴ＃ｎ）等が記述される。
【０２３７】
各ＶＯＢＵエントリー情報（ＶＯＢＵ＿ＥＮＴ＃ｎ）は、各ＶＯＢＵのサイズ及び再生時間情報を含む。ＶＯＢＵのサイズは、セクタ数で測定されており、再生時間はビデオフィールド数で測定されている。各タイムエントリー情報は、ＶＯＢの開始から１０ｓ毎の再生されるべきＶＯＢＵエントリー情報で、ＶＯＢＵの先頭からのＶＯＢＵエントリーの数、ＶＯＢＵ内での丁度１０ｓの区切れのあるフレーム数、ＶＯＢの先頭からのアドレス情報が示される。
【０２３８】
したがって、このタイムエントリー情報を利用することにより、ＶＯＢＵを種々取り扱うことができる。また、この発明の装置は、このタイムエントリー情報を利用することもできるし、また修正することもできる。
【０２３９】
スチルピクチャーＡＶファイル情報テーブル（Ｓ＿ＡＶＦＩＴ）には、スチルピクチャーＡＶファイル情報テーブル情報（Ｓ＿ＡＶＦＩＴＩ）、スチルピクチャーＶＯＢストリーム情報（Ｓ＿ＶＯＢ＿ＳＴＩ＃ｎ）、スチルピクチャーＡＶファイル情報（Ｓ＿ＡＶＦＩ）、スチルピクチャー付加オーディオストリーム情報（Ｓ＿ＡＡ＿ＳＴＩ＃ｎ）、スチルピクチャー付加オーディオファイル情報（Ｓ＿ＡＡＦＩ）が記述されている（図３５）。
【０２４０】
スチルピクチャーＡＶファイル情報テーブル情報（Ｓ＿ＡＶＦＩＴＩ）には、ＡＶファイル情報の数、付加オーディオファイル情報の数、スチルピクチャーＶＯＢストリーム情報の数、スチルピクチャー付加オーディオストリーム情報の数、のテーブルのエンドアドレスが記述される。
【０２４１】
スチルピクチャーＶＯＢストリーム情報（Ｓ＿ＶＯＢ＿ＳＴＩ＃ｎ）には、ビデオ属性、オリジナルオーディオのオーディオ属性、副映像の属性、副映像のカラーパレットが記述される。
【０２４２】
スチルピクチャーＡＶファイル情報（Ｓ＿ＡＶＦＩ）は、スチルピクチャーＡＶファイル一般情報（Ｓ＿ＡＶＦＩ＿ＧＩ）、スチルピクチャーＶＯＢグループ情報サーチポインタ（Ｓ＿ＶＯＧＩ＿ＳＲＰ＃ｎ）、スチルピクチャーＶＯＢグループ情報（Ｓ＿ＶＯＧＩ）が記述される。Ｓ＿ＡＶＦＩ＿ＧＩには、スチルピクチャーＶＯＢグループ情報の数が記述され、Ｓ＿ＶＯＧＩ＿ＳＲＰ＃ｎには、スチルピクチャーＶＯＢグループ情報のスタートアドレスが記述されている。
【０２４３】
スチルピクチャーＶＯＢグループ情報（Ｓ＿ＶＯＧＩ＃ｎ）には、スチルピクチャーＶＯＢグループ一般情報（Ｓ＿ＶＯＧ＿ＧＩ）、スチルピクチャーＶＯＢエントリー＃ｎ（Ｓ＿ＶＯＧ＿ＥＮＴ＃ｎ）が記述されている。
【０２４４】
Ｓ＿ＶＯＧ＿ＧＩには、スチルピクチャーＶＯＢの数、ＶＯＢストリーム情報番号、このＶＯＢグループの先頭のＶＯＢが記録されたときの時間、このＶＯＢグループの最後のＶＯＢが記録されたときの時間、ＶＯＢグループの開始アドレスが記述される。またＳ＿ＶＯＧ＿ＥＮＴ＃ｎには、グループのＶＯＢをアクセス或いはサーチするために必要な情報が含まれる。Ｓ＿ＶＯＧ＿ＥＮＴ＃ｎには複数のタイプがある。タイプ１では、このＶＯＢが通常状態であるのか、仮消去されたものであるかのタイプ情報と、ビデオ部分のサイズ情報とが記述される。タイプ２では、上記に加えてオリジナルオーディオ部分のサイズ、当該オーディオ部分の再生時間が記述されている。またタイプ３では、このＶＯＢが通常状態であるのか、仮消去されたものであるかのタイプ情報と、ビデオ部分のサイズ情報と、付加オーディオグループの番号と、この付加オーディオグループのエントリー番号が記述される。またタイプ４では、上記のタイプ３，４の情報を併せた情報が記述される。
【０２４５】
図３５のスチルピクチャー付加オーディオファイル情報（Ｓ＿ＡＡＦＩ）には、当該ファイル情報の一般情報（Ｓ＿ＡＡＦＩ＿ＧＩ）、当該付加オーディオグループ情報のサーチポインタ＃ｎ（Ｓ＿ＡＡＧＩ＿ＧＳＲＰ＃ｎ）、付加オーディオグループ情報＃ｎ（Ｓ＿ＡＡＧＩ＃ｎ）が記述される。
【０２４６】
Ｓ＿ＡＡＦＩ＿ＧＩにはサーチポインタ数、Ｓ＿ＡＡＧＩ＿ＧＳＲＰ＃ｎには対応する情報のアドレスが記述される。Ｓ＿ＡＡＧＩ＃ｎには、その一般情報と、エントリー情報が記述される。一般情報は、エントリーの数、付加オーディオストリーム情報の番号、当該ストリーム情報のスタートアドレスを有する。また、エントリー情報としては、付加オーディオのタイプ、オーディオストリームのセクタによるサイズ、付加オーディオストリームの再生時間などが含まれる。
【０２４７】
次に、本発明に特に関連しているユーザ定義プログラムチェーン情報テーブル、及びオリジナルプログラムチェーン情報テーブルについて説明する。
【０２４８】
ユーザ定義プログラムチェーン情報テーブル（ＵＤ＿ＰＧＣＩＴ）には、ユーザ定義ＰＧＣ情報テーブル情報（ＵＤ＿ＰＧＣＩＴＩ）、ユーザ定義ＰＧＣサーチポインタ＃ｎ（ＵＤ＿ＰＧＣ＿ＳＲＰ＃ｎ）、ユーザ定義ＰＧＣ情報＃ｎ（ＵＤ＿ＰＧＣＩ＃ｎ）が記述される。
【０２４９】
ＵＤ＿ＰＧＣＩＴＩには、ＵＤ＿ＰＧＣ＿ＳＲＰ（ＵＤ＿ＰＧＣサーチポインタ）の数、ＵＤ＿ＰＧＣＩＴ（ＵＤ＿ＰＧＣ情報テーブル）の終了アドレスが記述されている。またＵＤ＿ＰＧＣ＿ＳＲＰには、ＵＤ＿ＰＧＣＩの開始アドレスが記述されている。
【０２５０】
ユーザ定義プログラムチェーン情報テーブル、及びオリジナルプログラムチェーン情報テーブルには、それぞれにプログラムチェーン情報（ＰＧＣＩ）が存在するが、そのデータ形式は、同一であるから共通して説明することにする。
【０２５１】
プログラムチェーン情報（ＰＧＣＩ）には、プログラムチェーン一般情報（ＰＧＣＩ＿ＧＩ）、プログラム情報（ＰＧＩ＃ｎ）、セル情報サーチポインター（ＣＩ＿ＳＲＰ＃ｎ），セル情報（ＣＩ＃ｎ）が記述される。
【０２５２】
図３６に示すように、プログラムチェーン一般情報（ＰＧＣＩ＿ＧＩ）には、プログラムの数（ＰＧ＿Ｎｓ），セルサーチポインタの数（ＣＬ＿ＳＲＰ＿Ｎｓ）が記述される（図３６）。またプログラム情報（ＰＧＣＩ＃１）には、プログラムタイプ（ＰＧ＿ＴＹ）、このプログラム内のセル数（Ｃ＿Ｎｓ），基本テキスト情報（ＰＲＭ＿ＴＸＴＩ），ＩＴテキストサーチポインタ番号（ＩＴ＿ＴＥＸＴ＿ＳＲＰＮ）、サムネールポインタ情報（ＴＨＭ＿ＰＴＲＩ）が記述される。
【０２５３】
セル情報＃ｎ（ＣＩ＃１）としては、ムービーセル情報とスチルピクチャセル情報があるが、両者を兼用した形で図３２には示している。
【０２５４】
図３２に示すように、ＣＩ＃１には、セル一般情報（Ｃ＿ＧＩ）、セルエントリー情報（Ｃ＿ＥＰＩ＃ｎ）が記述される。セル一般情報（Ｃ＿ＧＩ）としては、セルタイプ（Ｃ＿ＴＹ）、ムービーＶＯＢ情報サーチポインタ番号（Ｍ＿ＶＯＢＩ＿ＳＲＰＮ），セルエントリーポイント情報の数（Ｃ＿ＥＰＩ＿Ｎｓ），セル再生開始時間（Ｃ＿Ｖ＿Ｓ＿ＰＴＭ），セル再生終了時間（Ｃ＿Ｖ＿Ｅ＿ＰＴＭ）が記述される。
【０２５５】
またセルエントリーポイント情報（Ｃ＿ＥＰＩ）としては、エントリーポイントのタイプ（ＥＰ＿ＴＹ），エントリーポイントの再生時間、このエントリーポイントの基本テキスト情報（ＰＲＭ＿ＴＸＴＩ）が記述される。基本テキスト情報（ＰＲＭ＿ＴＸＴＩ）が存在する時は、ＥＰ＿ＴＹは０、そうでない時は１となる。
【０２５６】
上記のように管理情報が構成される光ディスクは、図１に示す記録再生装置により記録再生が可能である。図１の装置の基本的な動作は先に説明したので、本発明の特徴的な動作を説明する。
【０２５７】
即ち、本発明では、消去禁止範囲を図３６に示したようにプログラム単位で付けることができる。これにより大胆なデータ管理が可能となる。
【０２５８】
図３７、図３８を参照して動作フローを説明する。その時の画面推移を図３９に示し、もし、プログラムを切り分ける必要がある場合には、そのイメージを図４０に示す。まず、消去禁止設定処理は、以下のようになる。
【０２５９】
１）消去禁止するタイトルをユーザーが選ぶ。
【０２６０】
２）すると選択したタイトル（ＶＴＳ又はＰＧＣ）の再生時間に応じたタイムバーと範囲を指定する為のカーソルを表示される。この時、セル毎に点線などで区切ることにより、ユーザーにその点線内が同じシーンであることを示すことができる（図３９参照）。つまり、たとえば、ビデオカメラでは、録画開始から、一時停止キー又は録画終了キーを押すまでが、このシーンに相当する。また、ＴＶドラマでは、コマーシャル（ＣＭ）から次のＣＭまでと言うことになる。
【０２６１】
３）カーソルとマーカーキーにより、消去禁止設定開始位置をユーザーが指定し、その指定された位置に相当するＶＯＢＵのアドレス等をワークメモリに保存する。このとき、そのカーソルの示すＶＯＢＵの先頭のＩピクチャが縮小画像として表示され選択をやりやすくしている。また、その時の再生時間を表示する事もできる。ここで、再生時間は、例えばセルの再生開始時間、再生終了時間情報を利用することにより得られる。
【０２６２】
４）カーソルとマーカーキーにより、消去禁止設定終了位置をユーザーが指定し、その指定された位置に相当するＶＯＢＵのアドレス等をワークメモリに保存する。
【０２６３】
５）選択された範囲でいいか確認し、いけない場合にはワークメモリをクリアし、項目４）の処理へ移行する。
【０２６４】
上記の処理が図３７のステップＤ１乃至Ｄ６に相当する。
【０２６５】
６）設定スタート位置より、プログラムを分割する必要があるか判断し（プログラムスタート位置と、消去禁止設定スタート位置が一致しているかどうかを判断する。）、必要がない場合には、項目８）の処理へ移行する。
【０２６６】
７）プログラムを分割する必要があるときは、消去禁止範囲の開始セル番号と、消去禁止範囲の終了セル番号を決定し、次に開始セルを分割する必要があるかどうかを判定し、分割する必要がある場合には、プログラムの分割作業を行う（ステップＤ７，Ｄ８、Ｄ９）。この分割処理では、分割部に尤も近いセルの単位で分割する方法と、セル自身をＶＯＢＵ単位で分割する方法があるが、いずれを採用してもよい。
【０２６７】
そして、分割したプログラム（ＰＧ）のセル数を開始セル番号より決定する（Ｄ１０）。ここでセル分割された場合には、分割指定しているセル情報（ＣＩ）内のセルエントリーポイント（Ｃ＿ＥＰＩ）をＶＯＢＵ単位で決定する。または、カーソルによる設定時にセルエントリーポイントを決定し保存しておいたものを使用する。これにより、セルエントリーポイント情報が増えるので、図３２のセル情報、セルエントリーポイントを１セル分シフトし、新たなセル情報及びセルエントリーポイントを作成し、またセルサーチポインタを増設し、管理情報内に配置する。ここで新たななＣ＿ＧＩ内のＣ＿ＴＹは、元のＣ＿ＣＹと同じものである。
【０２６８】
また、新たなプログラムチェーン情報（ＰＧＣＩ）が上記のセル情報テーブルに基づいて作成されることになる（Ｄ１１）。このＰＧＣＩは図４０の新たなプログラムＰＧ１’のためのＰＧＣＩである。
【０２６９】
次に終了セル番号における分割が必要かどうかの判定が行われる（ステップＤ１２）。図４０の例は、終了セルにおいてもセル分割が必要な場合を示している。この場合は、先の消去禁止開始位置で分割した後半のセルから消去禁止終了位置で分割したセルの前半のセルまでのセル数をカウントし、また、これらのセルのセル情報（ＣＩ）を作成し、これに基づき、新たなＰＧＣＩを作成する。このＰＧＣＩは図４０の新たなプログラムＰＧ２のためのＰＧＣＩである（Ｄ１３，Ｄ１４）。
【０２７０】
さらに上記消去禁止終了位置で分割したセルの後半のセルからプログラムＰＧ１（分割前）の最終セルまでのセル数をカウントし、これらのセルのセル情報（ＣＩ）を作成する。そしてこれに基づき、新たなＰＧＣＩを作成する。このＰＧＣＩは、図４０の新たなプログラムＰＧ３のためのＰＧＣＩである（Ｄ１５，Ｄ１６）。
【０２７１】
８）設定スタート位置から設定エンドのプログラムタイプ（Ｐ＿ＴＹ）に消去禁止フラグ（プロテクトフラッグ）をセットする（Ｄ１７）。
【０２７２】
９）設定は終わるかどうかを判断し、終わらない場合には、ステップＤ３へ移行する。
【０２７３】
上記の説明では、プログラムタイプに消去禁止フラッグを加えるとして説明しているが、これに限らず、当該プログラムに属するセルの情報に消去禁止フラッグを追加可能なエリアが確保された場合、このエリアに消去禁止フラッグをさらに加えるようにしてもよい。
【０２７４】
また、プログラムとセルを管理する両方の管理情報に二重に消去禁止フラッグを書き込むようにしてもよいし、或いは、独立してプログラムで管理する場合と、セルで管理する場合を使い分けられるようにしてもよい。つまり、プログラム単位で上述したように消去禁止フラッグを付加できるモードと、セル単位で消去禁止フラッグを付加できるモードの２つのモードを使い分けられるようにしてもよい。
【０２７５】
図４１には、上記の如くプログラム単位で設定した消去禁止設定を解除する場合の動作フローを示している。図４１には、ＴＶ画面の表示例を示す。
【０２７６】
１）消去禁止するタイトルをユーザーが選ぶ。
【０２７７】
２）選択したタイトル（ＶＴＳ又はＰＧＣ）の再生時間に応じたタイムバーとプログラムを指定する為のカーソルを表示する（図４１参照）。この場合、消去禁止が設定されているプログラムの部分は、例えばタイムバーの色が異なる（例えば斜線部）表示となる。
【０２７８】
３）カーソルを消去禁止開始位置や終了位置に移動させると、その位置のＩピクチャーの再生画像を縮小した状態で見ることができる。
【０２７９】
４）カーソルとマーカーキーにより、消去禁止設定解除プログラムをユーザーが指定する。ここまでの処理がステップＥ１からＥ６に相当する。
【０２８０】
５）指定されたプログラムの消去禁止解除をしていいかを確認し、いけない場合には項目２）に移行する。
【０２８１】
６）消去禁止解除しても良い場合は、指定されたプログラムのＰＧＣＩにおけるの消去禁止フラグをクリアする。ここまでの処理がステップＥ７からＥ９に相当する。
【０２８２】
この後は、新たなプログラムチェーン情報の再構築を行うことになる。例えば図４０で説明した元のプログラムＰＧとなるために、元のプログラムＰＧ１の管理情報が再度構築されることになる。
【０２８３】
図４３には、さらにその時の消去動作動作フローを示し、図４４にはＴＶ画面の表示例を示す。
【０２８４】
１）消去するプログラム或いはタイトルをユーザーが選ぶ。
【０２８５】
２）プログラムのＰＧＩに消去禁止フラグがあるかどうかを判断し、無い場合には、通常の消去動作を行う。ここで、判定には、ＰＧＩ消去禁止フラッグをチェックして、判定する。通常の消去の場合、ＰＧＩに属するセル情報からセルを決定し、また、決定したセル情報に基づき属するＶＯＢ情報を決定する。つまりＶＯＢとその中での再生時間（Ｓ＿ＰＴＭ（スタート時間），Ｅ＿ＰＴＭ（エンド時間））を決定し、ＶＯＢ情報と、前記情報によりビデオオブジェクトユニット（ＶＯＢＵ）を決定する。そして該当のＶＯＢＵをＶＯＢファイルより消去し、該当するＶＯＢＵ情報、セル情報、ＰＧＩをＶＭＧファイルより消去する（ステップＦ４）。この消去方法は、他の管理情報をＡＶＦＩを用いてもよい。
【０２８６】
３）ユーザーに消去禁止プログラムが存在する旨を表示し、消去設定されていない部分の消去を行うかかどうかをユーザーに選択させ、“Ｎｏ”の場合には処理を終了する（図４４参照）。
【０２８７】
４）目的のプログラムのオリジナルＰＧＩの内、消去禁止プログラムだけを残して、それ以外のプログラムを消去し、必要なＰＧＩのみを再構成する。
【０２８８】
ここまでの処理がステップＦ１からＦ６に相当する。
【０２８９】
５）ファイル管理情報内に対しては、プログラム単位で消去したＶＭＧのファイルの新しい管理データを作成して書き換える（ステップＦ７からＦ８）。
【０２９０】
上述した本発明に係る記録媒体、記録方法、記録装置、再生装置についてまとめると次のようになる。
【０２９１】
この発明の特徴は記録媒体の管理領域における再生用管理情報の領域にある。つまりこの領域には、プログラム単位及び又はセル単位で消去禁止フラッグを設ける領域が確保されている。
【０２９２】
この発明の記録媒体は、管理領域とデータ領域で構成され、前記データ領域には、データが複数のシーケンスに分かれて記録されており、それぞれのプログラム（シーケンス）は複数のセルからなり、１つのセルは、データユニットからなり、データユニットは、所定時間内に再生されるべき映像及び音声を複数のパックにパック化して記録され、前記管理領域には、プログラム（シーケンス）を管理する管理テーブル、セルを管理する管理テーブル、データユニットを管理する管理テーブルがそれぞれ独立又は互いに含まれて（従属して）存在する記録可能な情報記録媒体である。
【０２９３】
そして消去禁止情報が前記プログラム管理テーブル或いはセル管理テーブル内に記録さる領域を確保した情報記録媒体である。また双方に消去禁止情報を確保するようにしても良い。
【０２９４】
またこの発明は、上記のような記録媒体に対してデータの記録を行う方法又は装置において、前記プログラム或いは、セル管理テーブルまたは両方に消去禁止情報を付加するセル消去禁止設定処理又は処理部を有する事を特徴とする。
【０２９５】
さらに、上記セル単位で消去禁止を指定された場合に、指定されたセルがプログラムの切れ目にあるかどうかを判定する手段を有し、切れ目に無い場合には、プログラム分割検知処理（手段）と、前記セル分割検知処理の結果を元に、プログラム分割の必要がある場合に、プログラムをセル単位で分割するセル分割処理（手段）とを有する事を特徴とする。
【０２９６】
またこの場合、セルも分割する必要がある場合には、セル分割処理を併用しても良いことは勿論である。
【０２９７】
さらに、上記データユニット（ＶＯＢＵ）単位で消去禁止を指定された場合に、指定されたデータユニットがセルの切れ目にあるかどうかを判定するセル分割検知処理（手段）と、前記セル分割検知処理の結果を元に、セル分割の必要がある場合に、セルを分割するセル分割処理（手段）とを有する事を特徴とする。
【０２９８】
またこの発明では、消去禁止範囲を設定する場合、シーケンスの再生時間に対応したタイムバーを表示して、前記タイムバー上にカーソルを表示することにより消去禁止範囲を指定する消去禁止範囲指定処理（手段）と、前記カーソルの位置に対応した再生時間に一番近いデータユニットの映像を表示する映像表示処理（手段）を有し、ユーザーに消去禁止指定しやすくする事を特徴とする。
【０２９９】
更にまたこの発明では、シーケンスの再生時間に対応したタイムバーを表示して、前記タイムバー上にカーソルを表示することにより消去禁止範囲を指定する消去禁止範囲指定処理（手段）と、前記カーソルの位置に対応した再生時間を表示する映像表示処理（手段）有し、ユーザーに消去禁止指定しやすくする事を特徴とする。
【０３００】
またこの発明では、上記記録媒体に記録再生を行う情報記録再生処理（手段）においてシーケンス単位で消去を指定された場合に、指定されたシーケンス内に消去禁止プログラム（或いはセル）があるかどうかを判定する消去禁止範囲検知処理（手段）と、前記検知結果を元に、消去禁止プログラム（或いはセル）が存在する場合に、消去禁止プログラム（或いはセル）のみでシーケンスを構成し直すシーケンス再構成処理（手段）とを有する事を特徴とする。
【０３０１】
またこの発明では、消去プログラム（或いはセル）だけを消去するプログラム（或いはセル）消去部を有する。
【０３０２】
またこの発明では、プログラム（シーケンス）単位で消去を指定された場合に、指定されたプログラムが消去禁止プログラムであるかどうかを判定する消去禁止検知部と消去禁止フラッグが存在する旨を知らせる表示部を有する。更にまた、セル単位で消去禁止設定／解除を指定する指定部も有する。また、前記消去禁止情報を付加されたプログラム（或いはセル）の消去を禁止する消去禁止部を有する。また、前記消去禁止情報を付加されたプログラム（或いはセル）の消去禁止を解除する消去禁止解除部を有する。更にまた、上記の機能の組み合わせあるいは単独機能を備えるものである。
【０３０３】
又この発明の範囲は、データの記録順に構築されたオリジナルプログラムチェーン情報（ＯＰＧＣＩ）にのみ上記消去禁止フラッグを設定してもよいことを含み、また、オリジナルプログラムチェーンからユーザが独自に選択して形成したユーザ定義プログラムチェーン情報（ＵＤ＿ＰＧＣＩ）に上記消去禁止フラッグを設定してもよい。
【０３０４】
またプログラムを分割する場合、セル単位で分割してもよいし、セル自身も分割するようにしてもよい。セル単位で分割する場合には、セルの先頭のＶＯＢＵに含まれる縮小画面を参照して消去禁止範囲を設定できるようにすることが好ましい。またプログラムの単位としては、例えばコマーシャルからコマーシャルの間、記録日時単位、連続記録期間単位、或いはユーザが定義した単位など各種の単位が考えられるが、いずれの単位を採用するかは任意である。
【０３０５】
また記録再生システムの記録情報としては、ムービーＡＶファイル、スチルピクチャーＡＶファイルが存在するが、いずれのファイルの編集にも本発明は適用できることは勿論である。
【０３０６】
図４５、図４６は、さらに別の実施の形態であり、消去禁止範囲を設定した場合、セル分割が必要か否かを先に判定するようにした場合の動作フローチャートを示している。
【０３０７】
ステップＨ１乃至ステップＨ１１までは、図２０に示したステップＢ１乃至ステップＢ１１までと同じである。ステップＨ１０において、分割しなければならない場合、そのセルを決定する（ステップＰＨ１１）。
【０３０８】
次に、リアルタイムビデオマネージャーの中のＶＯＢＵエントリー情報を参照する。これは、このディスクシステムでは、図３４に示したようにファイル情報がＭ＿ＶＯＢＩ＃ｎにより管理され、Ｍ＿ＶＯＢＩ＃ｎ内には、タイムマップ情報が存在し、このタイムマップ情報内に各ＶＯＢＵ（ビデオオブジェクトユニット）のエントリー情報が記述されているからである。
【０３０９】
ＶＯＢＵエントリー情報（ＶＯＢＵ＿ＥＮＴ＃ｎ）は、各ＶＯＢＵのサイズ及び再生時間情報を含む。ＶＯＢＵのサイズは、セクタ数で測定されており、再生時間はビデオフィールド数で測定されている。各タイムエントリー情報は、ＶＯＢの開始から１０ｓ毎の再生されるべきＶＯＢＵエントリー情報で、ＶＯＢＵの先頭からのＶＯＢＵエントリーの数、ＶＯＢＵ内での丁度１０ｓの区切れのあるフレーム数、ＶＯＢの先頭からのアドレス情報が示される。
【０３１０】
したがって、このタイムエントリー情報を利用することにより、ＶＯＢＵを種々取り扱うことができる。また、この発明の装置は、このタイムエントリー情報を利用することもできるし、また修正することもできる。
【０３１１】
したがって、分割対称となるＶＯＢＵエントリー情報を参照してセルの分割点をＶＯＢＵ単位で決めて、セル情報を決めることができる。このセル情報（ＣＩ）は、分割された前半の新セルのための情報である。また、セルが１つ増えたわけであるからセル情報の書き込みエリアを確保するために、今までのセル情報（ＣＩ＃ｎ）を１つ移動させて新セル情報の書き込み箇所を確保する（Ｈ１２，Ｈ１３）。
【０３１２】
次に、元のセル（分割前）を分割した後半のセルのためのセル情報（ＣＩ）を決める。次に、消去禁止範囲エンドのセルの分割が必要かどうかの判定を行う（Ｈ１５）。分割の必要が無ければステップＨ２０に移行してプログラムの分割が必要かどうかの判定を行う。
【０３１３】
分割が必要であればステップ（Ｈ１６）に移り、分割すべきセルを決定する。そして分割すべきセルのＶＯＢＵエントリー情報からセル分割点を決める。これにより分割点が決まると、消去禁止範囲内に入る新セルのための新セル情報（ＣＩ）を決める（ステップＨ１７）。そして、他のセル情報（ＣＩ＃ｎ）を１つ移動させて、新セル情報の書き込み箇所を作成する（ステップＨ１８）。
【０３１４】
次に今度は、分割されたセルの後半の新セルのセル情報（ＣＩ）を決める。
【０３１５】
次に、今度は、プログラムの分割が必要かどうかの判定を行う。セルが単一のプログラム（ＰＧ）内に所属しているかどうかを判断する。プログラムの分割の必要が無ければプロテクト範囲内のプログラムのプログラムタイプ（ＰＧ＿ＴＹ）に消去禁止フラッグをセットする（ステップＨ２８）。プログラムの分割が必要な場合には、分割するプログラムのセル数を開始セル番号より決定する（ステップＨ２４）。次に新たなプログラム情報（ＰＧＩ）（図３６）を追加し、開始セルから終了セルまでのセル数Ｃ＿Ｎｓを更新する（Ｈ２７）。そしてプロテクト範囲内のプログラムのプログラムタイプ（ＰＧ＿ＴＹ）に消去禁止フラッグをセットする（ステップＨ２８）。消去禁止範囲設定が終了したかどうかが判定され（ステップＨ２９）、終了していなければステップＨ２に戻る。
【０３１６】
【発明の効果】
以上説明したようにこの発明によれば、消去禁止設定を、大胆かつ細かい単位で指定することができ、それにより、大胆かつ細かなデータ管理ができるという効果を得ることができる。
【図面の簡単な説明】
【図１】この発明に係る記録再生装置の一実施の形態を示す図。
【図２】記録再生可能な光ディスクの構造を説明する図。
【図３】光ディスクに記録される情報の階層構造を説明する図。
【図４】光ディスクに記録される情報の論理構造を説明する図。
【図５】光ディスクに記録される情報（データファイル）のディレクトリ構造を説明する図。
【図６】ビデオオブジェクトセットの階層構造を説明する図。
【図７】図３の階層構造の最下層パックの内容を説明する図。
【図８】ナビゲーションパックの内容を説明する図。
【図９】ＰＣＩパケットの内容を説明する図。
【図１０】再生制御情報ＰＣＩの内容を説明する図。
【図１１】再生制御情報一般情報ＰＣＩ＿ＧＩの内容を説明する図。
【図１２】ビデオタイトルセット情報ＶＴＳＩの内容を説明する図。
【図１３】ビデオタイトルセットプログラムチェーン情報テーブルの内容を説明する図。
【図１４】ビデオタイトルセットプログラムチェーン情報の内容を説明する図。
【図１５】セル再生情報テーブルの内容を説明する図。
【図１６】セル再生情報の内容を説明する図。
【図１７】セルカテゴリーの内容を説明する図。
【図１８】プログラムチェーン一般情報の内容を説明する図。
【図１９】本発明に係る装置の録画動作フロー例を示す図。
【図２０】本発明に係る消去禁止設定動作フロー例を示す図。
【図２１】図２０の続きを示す図。
【図２２】消去禁止範囲設定時の画面上のイメージ例を示す図。
【図２３】セル分割の原理を説明する図。
【図２４】本発明に係る装置のタイトル消去処理フロー例を示す図。
【図２５】本発明に係る装置のタイトル消去処理時の画面表示例を示す図。
【図２６】本発明に係る装置の消去禁止解除処理フロー例を示す図。
【図２７】本発明に係る装置の消去禁止解除時の画面表示例を示す図。
【図２８】本発明に係る他の実施形態の記録媒体のデータ構造を示す説明図。
【図２９】同じく本発明に係る他の実施形態の記録媒体のデータ構造を示す説明図。
【図３０】ダミーパックの構造の例を示す図。
【図３１】本発明に係る他の実施形態の記録媒体のディレクトリー構造を示す説明図。
【図３２】上記記録媒体のビデオマネージャーの階層構造を示す説明図。
【図３３】同じく記録媒体のビデオマネージャー情報の階層構造を示す説明図。
【図３４】同じく記録媒体のムービーＡＶファイル情報テーブルの階層構造を示す説明図。
【図３５】同じく記録媒体のスチルピッチャーＡＶファイル情報テーブルの階層構造を示す説明図。
【図３６】同じく記録媒体のプログラムチェーン情報の階層構造を示す説明図。
【図３７】上記記録媒体のプログラムの消去禁止範囲を設定する際の再生装置の動作を示すフローチャート。
【図３８】図３７の続きを示す図。
【図３９】消去禁止範囲設定時の画面上のイメージ例を示す図。
【図４０】プログラム分割の原理を説明する図。
【図４１】本発明に係る装置のプログラム消去処理フロー例を示す図。
【図４２】本発明に係る装置のプログラム消去処理時の画面表示例を示す図。
【図４３】本発明に係る装置のプログラム消去禁止解除処理フロー例を示す図。
【図４４】本発明に係る装置のプログラム消去禁止解除時の画面表示例を示す図。
【図４５】本発明に係る消去禁止設定動作フロー例を示す図。
【図４６】図４５の続きを示す図。
【符号の説明】
１０…光ディスク、３０…ＭＰＵ部、３２…ディスクドライブ部、３４…一時記憶部、３６…Ｄ−ＰＲＯ部、３８…ＳＴＣ部、４８…キー入力部、４９…表示部、５０…エンコーダ部、５１…アナログデジタル変換器、５２…セレクタ、５３…ビデオエンコーダ、５４…オーディオエンコーダ、５５…副映像エンコーダ、５６…フォーマッタ、５７…バッファメモリ、６０…デコーダ部、６２…セパレータ、６３…メモリ、６４…ビデオデコーダ、６５…副映像デコーダ、６６…ビデオプロセッサ部、６８…オーディオデコーダ、６９…デジタルアナログ変換器、２００…ビデオミキシング部、２０１…フレームメモリ。
【図１】
0003677176.tif 000002
【図２】
0003677176.tif 000003
【図３】
0003677176.tif 000004
【図４】
0003677176.tif 000005
【図５】
0003677176.tif 000006
【図６】
0003677176.tif 000007
【図７】
0003677176.tif 000008
【図８】
0003677176.tif 000009
【図９】
0003677176.tif 000010
【図１０】
0003677176.tif 000011
【図１１】
0003677176.tif 000012
【図１２】
0003677176.tif 000013
【図１３】
0003677176.tif 000014
【図１４】
0003677176.tif 000015
【図１５】
0003677176.tif 000016
【図１６】
0003677176.tif 000017
【図１７】
0003677176.tif 000018
【図１８】
0003677176.tif 000019
【図１９】
0003677176.tif 000020
【図２０】
0003677176.tif 000021
【図２１】
0003677176.tif 000022
【図２２】
0003677176.tif 000023
【図２３】
0003677176.tif 000024
【図２４】
0003677176.tif 000025
【図２５】
0003677176.tif 000026
【図２６】
0003677176.tif 000027
【図２７】
0003677176.tif 000028
【図２８】
0003677176.tif 000029
【図２９】
0003677176.tif 000030
【図３０】
0003677176.tif 000031
【図３１】
0003677176.tif 000032
【図３２】
0003677176.tif 000033
【図３３】
0003677176.tif 000034
【図３４】
0003677176.tif 000035
【図３５】
0003677176.tif 000036
【図３６】
0003677176.tif 000037
【図３７】
0003677176.tif 000038
【図３８】
0003677176.tif 000039
【図３９】
0003677176.tif 000040
【図４０】
0003677176.tif 000041
【図４１】
0003677176.tif 000042
【図４２】
0003677176.tif 000043
【図４３】
0003677176.tif 000044
【図４４】
0003677176.tif 000045
【図４５】
0003677176.tif 000046
【図４６】
0003677176.tif 000047